(57)【要約】【課題】  予約されたカラオケ曲の再生タイミングに基づいて、その予約されたカラオケ曲に対応付けられたタイアップ広告の再生タイミングを決定し、そのタイアップ広告の再生タイミングをユーザに知らせる広告再生装置および広告再生システムを提供する。【解決手段】  広告再生装置は、カラオケ装置により再生される楽曲と対応付けられたタイアップ広告を示すタイアップ広告情報を記憶する記憶部と、タイアップ広告を再生させる広告再生部と、予約された楽曲の再生タイミングを取得する取得部と、取得された楽曲の再生タイミングに基づいて、予約された楽曲に対応付けされたタイアップ広告の再生タイミングを決定する広告決定部と、決定されたタイアップ広告の再生タイミングを告知部に通知する通知制御部と、を備える。【選択図】        図３（ｆ２）
2014197046.tif 000002
【特許請求の範囲】
【請求項１】
カラオケ装置により再生される楽曲と対応付けされたタイアップ広告を示すタイアップ広告情報を記憶する記憶部と、
前記タイアップ広告を再生させる広告再生部と、
予約された楽曲の再生タイミングを取得する取得部と、
前記取得された楽曲の再生タイミングに基づいて、前記予約された楽曲に対応付けされたタイアップ広告の再生タイミングを決定する広告決定部と、
広告の再生タイミングを告知する告知部に、前記決定されたタイアップ広告の再生タイミングを通知する通知制御部と、
を備えることを特徴とする広告再生装置。
【請求項２】
前記記憶部は、前記カラオケ装置により再生される楽曲と対応付けされたタイアップ広告を示すタイアップ広告情報と、前記カラオケ装置により再生される楽曲と対応付けされていない一般広告を示す一般広告情報とを記憶し、
前記広告再生部は、所定の再生順序に従って、前記記憶部に記憶されるタイアップ広告および一般広告を再生させ、
前記通知制御部は、前記広告再生部により再生される広告が切り換えられるときに、前記決定されたタイアップ広告の再生タイミングを前記告知部に通知する
ことを特徴とする請求項１に記載の広告再生装置。
【請求項３】
前記通知制御部は、前記広告決定部により再生タイミングが決定されたタイアップ広告の１つ前に再生される前記一般広告または前記タイアップ広告の再生が終了されるときに、前記決定されたタイアップ広告の再生タイミングを前記告知部に通知する
ことを特徴とする請求項２に記載の広告再生装置。
【請求項４】
前記広告決定部は、前記予約された楽曲に対応付けされたタイアップ広告の再生タイミングとして、前記予約された楽曲に対応付けされたタイアップ広告が再生されるまでに再生が予定されている広告の数を決定する。
ことを特徴とする請求項１〜３のいずれかに記載の広告再生装置。
【請求項５】
前記取得部は、楽曲の再生が予約されてから、前記予約された楽曲の再生タイミングまでの待ち時間を取得し、
前記待ち時間と、前記広告再生部が広告を再生する前記所定の再生順序とに基づいて、前記予約された楽曲の再生タイミングまでに前記予約された楽曲に対応付けされたタイアップ広告が再生可能か否かを判断する判断部を備え、
前記広告決定部は、前記判断部により、前記予約された楽曲の再生タイミングまでに前記予約された楽曲に対応付けされたタイアップ広告が再生可能であると判断されないとき、前記予約された楽曲に対応付けされたタイアップ広告の再生タイミングを、前記予約された楽曲の再生中の非歌唱部分と決定し、
前記通知制御部は、前記広告決定部により決定された前記非歌唱部分の開始前に、前記予約された楽曲に対応付けされたタイアップ広告の再生タイミングを前記告知部に通知する。
ことを特徴とする請求項１〜４のいずれかに記載の広告再生装置。
【請求項６】
カラオケ装置により再生される楽曲と対応付けされたタイアップ広告を示すタイアップ広告情報を記憶する記憶部と、
前記タイアップ広告を再生させる広告再生部と、
予約された楽曲を取得する予約取得部と、
予約された楽曲の再生タイミングを決定する楽曲決定部と、
前記決定された楽曲の再生タイミングに基づいて、前記予約された楽曲に対応付けされたタイアップ広告の再生タイミングを決定する広告決定部と、
広告の再生タイミングを告知する告知部と、
前記決定されたタイアップ広告の再生タイミングを前記告知部に通知し、前記決定されたタイアップ広告の再生タイミングに達したときに前記広告再生部を動作させる制御部と、
を備えることを特徴とする広告再生システム。
【発明の詳細な説明】
【技術分野】
【０００１】
本発明は、楽曲が予約されたときに、楽曲の再生中に再生される広告の再生タイミングをユーザに知らせる広告再生装置、および広告再生システムに関する。
【背景技術】
【０００２】
従来、カラオケユーザがカラオケサービスを利用するとき、カラオケユーザが利用するカラオケルームに設置された少なくとも一つのディスプレイに、カラオケ曲の歌詞と、広告とが表示される装置がある。例えば、カラオケ曲の歌詞と、広告とを表示する装置の一例として、特許文献１に記載のカラオケ装置が提案されている。この特許文献に記載のカラオケ装置では、カラオケ曲の歌詞がメインディスプレイに表示され、広告であるＣＭ画像がサブディスプレイに表示される。すなわち、カラオケ曲の歌詞と、広告とが、それぞれ別体のディスプレイに表示される。
【先行技術文献】
【特許文献】
【０００３】
【特許文献１】特開平１０−１８７１６８号公報
【発明の概要】
【発明が解決しようとする課題】
【０００４】
特許文献１のように、カラオケ曲の再生中に、カラオケ曲の歌詞がメインディスプレイに表示され、ＣＭ画像がサブディスプレイに表示されるとき、カラオケ曲を歌唱するユーザは、歌詞が表示されるメインディスプレイに注目し、広告が表示されるサブディスプレイに視線が向かない。例えば、再生されるカラオケ曲と関連する広告がサブディスプレイに表示される場合であっても、ユーザがカラオケ曲を歌唱中であるときは、ユーザは歌唱を優先するために、広告の内容をじっくり確認することができないため、広告効果が低かった。そのため、広告に気付かせるために、カラオケ曲と関連する広告を、カラオケ曲の再生前もしくはカラオケ曲の再生後にサブディスプレイに表示させることが考えられる。しかしながら、カラオケ曲の再生前もしくはカラオケ曲の再生後に、カラオケ曲と関連する広告が表示された場合であっても、カラオケ曲を歌唱するユーザは、再生されるカラオケ曲に関連する広告があると認識していないため、カラオケ曲に関連する広告が再生されることに気付かない。
【０００５】
本発明は、上述した問題点を解決するためになされたものであり、予約されたカラオケ曲の再生タイミングに基づいて、その予約されたカラオケ曲に対応付けられたタイアップ広告の再生タイミングを決定し、そのタイアップ広告の再生タイミングをユーザに知らせる広告再生装置および広告再生システムを提供することを目的とする。
【課題を解決するための手段】
【０００６】
請求項１記載の広告再生装置は、カラオケ装置により再生される楽曲と対応付けされたタイアップ広告を示すタイアップ広告情報を記憶する記憶部と、前記タイアップ広告を再生させる広告再生部と、予約された楽曲の再生タイミングを取得する取得部と、前記取得された楽曲の再生タイミングに基づいて、前記予約された楽曲に対応付けされたタイアップ広告の再生タイミングを決定する広告決定部と、広告の再生タイミングを告知する告知部に、前記決定されたタイアップ広告の再生タイミングを通知する通知制御部と、を備えることを特徴とする。
【０００７】
請求項２記載の広告再生装置は、前記記憶部は、前記カラオケ装置により再生される楽曲と対応付けされたタイアップ広告を示すタイアップ広告情報と、前記カラオケ装置により再生される楽曲と対応付けされていない一般広告を示す一般広告情報とを記憶し、前記広告再生部は、所定の再生順序に従って、前記記憶部に記憶されるタイアップ広告および一般広告を再生させ、前記通知制御部は、前記広告再生部により再生される広告が切り換えられるときに、前記決定されたタイアップ広告の再生タイミングを前記告知部に通知することを特徴とする。
【０００８】
請求項３記載の広告再生装置は、前記通知制御部は、前記広告決定部により再生タイミングが決定されたタイアップ広告の１つ前に再生される前記一般広告または前記タイアップ広告の再生が終了されるときに、前記決定されたタイアップ広告の再生タイミングを前記告知部に通知することを特徴とする。
【０００９】
請求項４記載の広告再生装置は、前記広告決定部は、前記予約された楽曲に対応付けされたタイアップ広告の再生タイミングとして、前記予約された楽曲に対応付けされたタイアップ広告が再生されるまでに再生が予定されている広告の数を決定することを特徴とする。
【００１０】
請求項５記載の広告再生装置は、前記取得部は、楽曲の再生が予約されてから、前記予約された楽曲の再生タイミングまでの待ち時間を取得し、前記待ち時間と、前記広告再生部が広告を再生する前記所定の再生順序とに基づいて、前記予約された楽曲の再生タイミングまでに前記予約された楽曲に対応付けされたタイアップ広告が再生可能か否かを判断する判断部を備え、前記広告決定部は、前記判断部により、前記予約された楽曲の再生タイミングまでに前記予約された楽曲に対応付けされたタイアップ広告が再生可能であると判断されないとき、前記予約された楽曲に対応付けされたタイアップ広告の再生タイミングを、前記予約された楽曲の再生中の非歌唱部分と決定し、前記通知制御部は、前記広告決定部により決定された前記非歌唱部分の開始前に、前記予約された楽曲に対応付けされたタイアップ広告の再生タイミングを前記告知部に通知することを特徴とする。
【００１１】
請求項６記載の広告再生システムは、カラオケ装置により再生される楽曲と対応付けされたタイアップ広告を示すタイアップ広告情報を記憶する記憶部と、前記タイアップ広告を再生させる広告再生部と、予約された楽曲を取得する予約取得部と、予約された楽曲の再生タイミングを決定する楽曲決定部と、前記決定された楽曲の再生タイミングに基づいて、前記予約された楽曲に対応付けされたタイアップ広告の再生タイミングを決定する広告決定部と、広告の再生タイミングを告知する告知部と、前記決定されたタイアップ広告の再生タイミングを前記告知部に通知し、前記決定されたタイアップ広告の再生タイミングに達したときに前記広告再生部を動作させる制御部と、
を備えることを特徴とする。
【発明の効果】
【００１２】
請求項１記載の広告再生装置においては、通知制御部は、予約された楽曲のタイアップ広告の再生タイミングを、告知部に通知する。これにより、楽曲の予約をしたユーザを含むユーザに、予約された楽曲のタイアップ広告の再生タイミングを知らせることができる。
【００１３】
請求項２記載の広告再生装置においては、通知制御部は、予約された楽曲のタイアップ広告の再生タイミングを、再生される広告が切り換えられるときに告知部に通知する。これにより、楽曲の予約をしたユーザを含むユーザに、予約した楽曲のタイアップ広告の再生タイミングが変化したことを知らせることができる。
【００１４】
請求項３記載の広告再生装置においては、通知制御部は、予約された楽曲のタイアップ広告の再生タイミングを、予約された楽曲のタイアップ広告の１つ前の広告の再生が終了するときに、告知部に通知する。これにより、楽曲を予約したユーザを含むユーザに、予約された楽曲のタイアップ広告の再生タイミングを、タイアップ広告が再生される直前にも再認識させることができる。
【００１５】
請求項４記載の広告再生装置においては、通知制御部は、予約された楽曲のタイアップ広告が再生されるまでに再生が予定される広告の数を告知部に通知する。これにより、楽曲の予約をしたユーザを含むユーザに、予約された楽曲のタイアップ広告の再生タイミングについて、より具体的に分かり易く知らせることができる。
【００１６】
請求項５記載の広告再生装置においては、判断部により、予約された楽曲の再生タイミングまでに、楽曲のタイアップ広告が再生可能であると判断されないときは、再生タイミング決定部は、タイアップ広告の再生タイミングを、予約された楽曲の非歌唱部分と決定する。タイアップ広告の再生タイミングが、楽曲の非歌唱部分と決定されたときは、通知制御部は、非歌唱部分の開始前に、タイアップ広告の再生タイミングを告知部に通知する。これにより、予約された楽曲のタイアップ広告が、楽曲の再生タイミングより前に再生可能でない場合であっても、楽曲のタイアップ広告を、予約をしたユーザの非歌唱時に再生させることができ、且つ、楽曲を予約したユーザを含むユーザに、予約された楽曲のタイアップ広告の再生タイミングを、そのタイアップ広告の再生前に知らせることができる。
【００１７】
請求項６記載の広告再生システムにおいては、通知制御部は、予約された楽曲のタイアップ広告について、予約された楽曲のタイアップ広告の再生タイミングを、告知部に通知する。これにより、楽曲を予約したユーザを含むユーザに、予約された楽曲のタイアップ広告の再生タイミングを、知らせることができる。
【図面の簡単な説明】
【００１８】
【図１】本発明の第１の実施形態にかかるカラオケシステムＳの構成を表す説明図である。
【図２】カラオケシステムＳの電気的構成を示すブロック図である。
【図３（ａ）】タイアップリストのデータ構成の一例を示す説明図である。
【図３（ｂ）】一般広告表示リストのデータ構成の一例を示す説明図である。
【図３（ｃ）】１曲の楽曲時間情報のデータ構成の一例を示す説明図である。
【図３（ｄ１）】カラオケ装置２により再生される楽曲の予約リストの一例を示す説明図である。
【図３（ｄ２）】カラオケ装置２により再生される楽曲の予約リストの一例を示す説明図である。
【図３（ｄ３）】カラオケ装置２により再生される楽曲の予約リストの一例を示す説明図である。
【図３（ｅ１）】広告再生装置５により再生される広告コンテンツの表示予定の一例を示す説明図である。
【図３（ｅ２）】広告再生装置５により再生される広告コンテンツの表示予定の一例を示す説明図である。
【図３（ｆ１）】タイアップ広告コンテンツの告知メッセージの一例を示す説明図である。
【図３（ｆ２）】タイアップ広告コンテンツの告知メッセージの一例を示す説明図である。
【図４】第１の実施形態のカラオケ装置２におけるメイン動作の処理手順を示すフローチャートである。
【図５】第１の実施形態のカラオケ装置２における決定処理の処理手順を示すフローチャートである。
【図６】第１の実施形態のカラオケ装置２における表示タイミング決定処理の処理手順を示すフローチャートである。
【図７】第１の実施形態の広告再生装置５におけるメイン動作の処理手順を示すフローチャートである。
【図８】本発明の第２の実施形態の広告再生装置５におけるメイン動作の処理手順を示すフローチャートである。
【図９】第２の実施形態のカラオケ装置２におけるメイン動作の処理手順を示すフローチャートである。
【発明を実施するための形態】
【００１９】
［第１の実施形態］
［カラオケシステムの構成の概要］
始めに、本発明の広告再生システムを、カラオケシステムに適用した第１の実施形態について、図１を参照して説明する。図１は、本実施形態のカラオケシステムＳの構成を示す説明図である。一般的にカラオケ店舗ＫＳには、複数のカラオケルームが備えられている。図１は、カラオケ店舗ＫＳの中に備えられた複数のカラオケルームの中で、カラオケルームＫＲを１室例に挙げたものである。図１の例では、カラオケルームＫＲに、リモコン１、カラオケ装置２、広告表示装置５が夫々１台ずつ設置されている。カラオケルームＫＲに、リモコン１は複数台設置されても良い。
【００２０】
図１に示すように、カラオケシステムＳは、リモコン１と、カラオケ装置２と、ディスプレイ３５と、センターサーバ４と、広告表示装置５と、ディスプレイ５４とを含んで構成される。リモコン１は、カラオケの楽曲の選曲または検索に用いられる選曲装置である。リモコン１には、リモコンＩＤが付与されている。リモコンＩＤは、リモコン１を識別するための識別情報である。リモコンＩＤは、リモコン１を特定するための情報であり、例えばリモコン１に割り当てられたＩＰアドレスである。リモコン１は、カラオケ店舗ＫＳに備えられたアクセスポイントＡＰ及びブロードバンドルータＢＲを介して、無線通信によりネットワークに接続される。これにより、リモコン１は、ブロードバンドルータＢＲを介してカラオケ装置２と通信可能であるとともに、ブロードバンドルータＢＲおよびネットワークを介してセンターサーバ４および広告表示装置５と通信可能である。リモコン１は、ネットワークを介して、または赤外線によりカラオケ装置２へ、楽曲の予約を依頼する。
【００２１】
カラオケ装置２は、リモコン１により依頼された予約に基づいて、楽曲の再生処理を行う。カラオケ装置２には、夫々カラオケ装置ＩＤが付与される。カラオケ装置ＩＤは、カラオケ装置２を夫々識別するための情報である。カラオケ装置ＩＤは、カラオケ装置２を特定できる情報であれば、どのような情報であってもよいが、例えばカラオケ装置２に割り当てられたＩＰアドレスがカラオケ装置ＩＤとされる。リモコン１と、カラオケ装置２とは、ネットワークに接続された図示外の管理サーバにより、それぞれのＩＤとそのリモコン１およびカラオケ装置２とが予め対応付けられて管理されている。リモコン１のリモコンＩＤと、カラオケ装置２のカラオケ装置ＩＤとが対応付けられて管理されていることにより、リモコン１により依頼された予約に基づく各処理が、カラオケ装置２により実行される。
【００２２】
また、リモコン１の代わりに、ユーザが個人で所有する携帯端末装置から、楽曲の予約を、カラオケ装置２へ依頼することが可能である。ユーザは、夫々所有する携帯端末装置を用いて、カラオケ装置２へ楽曲の予約を依頼することができる。この場合、携帯端末装置は、携帯基地局Ｃを介してネットワークへ接続可能になっている。
【００２３】
センターサーバ４は、複数の広告コンテンツを記憶する。広告表示装置５は、ブロードバンドルータＢＲを介してネットワークに接続され、ブロードバンドルータＢＲを介してカラオケ装置２と通信可能であるとともに、ブロードバンドルータＢＲ及びネットワークを介してセンターサーバ４と通信可能である。広告表示装置５には、ディスプレイ５４が接続される。広告表示装置５は、センターサーバ４から広告コンテンツを受信し、ディスプレイ５４に広告を表示させる。
【００２４】
[カラオケシステムＳの電気的構成]
図２は、カラオケシステムＳの電気的構成を示すブロック図である。以下、図２を用いて、リモコン１、カラオケ装置２、センターサーバ４、及び広告表示装置５の電気的構成を順に説明する。
【００２５】
［リモコン１の構成］
リモコン１は、制御部１１と、赤外線送信部１２と、記憶部１３と、ディスプレイ１４と、操作部１５と、操作処理部１６と、ビデオＲＡＭ１７と、映像制御部１８と、無線ＬＡＮ通信部１９とを備える。制御部１１は、リモコン１の動作を制御する。赤外線送信部１２は、後述するカラオケ装置２の赤外線受信部２５と通信することにより、リモコン１の指示を、カラオケ装置２へ送信する。記憶部１３は、予約情報記憶領域１３１と、ログイン情報記憶領域１３２とを備える。予約情報記憶領域１３１は、楽曲ＩＤである楽曲識別情報を記憶する。楽曲識別情報は、ユーザがリモコン１を用いてカラオケ装置２に再生を予約する楽曲を識別するための情報である。ログイン情報記憶領域１３２は、ユーザがリモコン１を用いてカラオケシステムＳにログインした情報を記憶する。具体的には、カラオケシステムＳにおけるユーザのユーザＩＤが、ログイン情報記憶領域１３２に記憶される。また、リモコン１へログインしていないユーザであっても予約可能であり、ログインしていないユーザについては、ゲストユーザを示すユーザＩＤがログイン情報として記憶される。記憶部１３の所定の記憶領域には、リモコン１にメイン動作を実行させるプログラムが記憶されている。
【００２６】
リモコン１のメイン動作は、例えば、カラオケシステムＳを利用するユーザによりリモコン１の電源がオンにされたことにより、実行される。ユーザは、リモコン１を用いて、カラオケ装置２が再生する楽曲を指定する。ユーザは、楽曲識別情報を指定することにより、指定された楽曲識別情報が、予約曲として予約情報記憶領域１３１に記憶される。予約情報記憶領域１３１に記憶された楽曲識別情報は、ユーザＩＤと対応付けて、赤外線送信部１２により、カラオケ装置２の赤外線受信部２５へ送信される。
【００２７】
［カラオケ装置２の構成］
カラオケ装置２は、制御部２１と、ＬＡＮインタフェース部２２と、記憶部２３と、操作部２４と、赤外線受信部２５と、操作処理部２６と、シンセサイザ２７と、マイク制御部２８と、ミキシングアンプ３０と、ビデオＲＡＭ３１と、映像再生部３２と、映像制御部３３と、映像受信部３４とを備える。カラオケ装置２には、スピーカ２９と、ディスプレイ３５と、カメラ３６とが接続される。制御部２１は、カラオケ装置２の動作を制御する。制御部２１は、例えば、後述する予約リストに従って、予約された楽曲を再生させる指示を行う。ＬＡＮインタフェース部２２は、ネットワークに接続し、制御部２１からの情報を、ネットワークに接続される他の端末であるリモコン１と、センターサーバ４と、広告表示装置５とに送信する。また、ＬＡＮインタフェース部２２は、ネットワークに接続される他の端末からの情報を受信する。
【００２８】
記憶部２３は、再生情報記憶領域２３１と、楽曲記憶領域２３２と、楽曲時間情報記憶領域２３３と、タイアップリスト記憶領域２３４と、歌詞テロップ記憶領域２３５と、一般広告情報記憶領域２３６とを備える。再生情報記憶領域２３１は、再生情報として、カラオケ装置２により再生される楽曲の予約リストと、広告表示装置５により再生される広告コンテンツの表示予定とを記憶する。予約リストには、リモコン１を用いてユーザにより予約された楽曲の楽曲識別情報が、予約ユーザのユーザＩＤと対応付けられ、予約された楽曲の再生順にしたがって、登録される。予約リストは、カラオケ装置２により新たな楽曲が再生されるたびに、更新され、保存される。予約リストの１曲目に登録される楽曲が、カラオケ装置２により現在再生されている楽曲であり、２曲目以降が、現在１曲目に登録されている楽曲の再生終了後に、順次再生される予約曲である。表示予定は、広告表示装置５により再生される広告コンテンツの広告識別情報を、広告表示装置５から取得したときに、記憶される。広告表示装置５では、新たな広告コンテンツが再生される度に、表示予定が更新される。表示予定の１番目に登録される広告コンテンツが、広告表示装置５により現在再生されている広告であり、２番目以降が、現在１番目に登録されている広告コンテンツの再生終了後に、順次再生される広告コンテンツである。楽曲記憶領域２３２は、後述するセンターサーバ４の楽曲記憶領域４４１から取得される情報を記憶する。楽曲時間情報記憶領域２３３は、後述するセンターサーバ４の楽曲時間情報記憶領域４４２から取得される情報を記憶する。
【００２９】
タイアップリスト記憶領域２３４は、予約リストに登録された楽曲に応じて、ディスプレイ５４に表示させるタイアップ広告コンテンツを示すタイアップリストを記憶する。タイアップ広告コンテンツは、例えば、楽曲識別情報が示す楽曲と対応して、その楽曲の歌手が出演する広告、または楽曲識別情報が示す楽曲に関連する広告などである。タイアップ広告コンテンツには、例えば、楽曲のアーティストのコンサートなどのイベント情報がある。タイアップリストは、カラオケ装置２において予約された楽曲の楽曲識別情報と、楽曲識別情報が示す楽曲が予約されたことに関連してディスプレイ５４に表示されるタイアップ広告コンテンツを示す広告識別情報と、タイアップ広告コンテンツの存在及び再生時期を事前にディスプレイ３５に告知する告知メッセージの内容を示す文字情報と、タイアップ広告コンテンツの表示所要時間とを対応付けたリストである。図３（ａ）は、タイアップリストのデータ構成を示す一例である。楽曲識別情報が示す楽曲がカラオケ装置２により再生されるとき、タイアップ広告コンテンツが、ディスプレイ５４に表示される。告知メッセージの内容を示す文字情報は、広告識別情報が示す広告が「サブモニタ」であるディスプレイ５４に表示される前に、「メインモニタ」であるカラオケ装置２のディスプレイ３５に表示されるタイアップ広告コンテンツの存在及び再生時期を知らせる文字情報である。告知メッセージは、例えば、「サブモニタに表示される２つ後の広告で、予約された曲のアーティストに関連する広告を表示します。」、または「サブモニタに表示される５秒後の広告で、予約された曲に関連する広告を表示します。」などである。歌詞テロップ記憶領域２３５は、予約リストに登録された楽曲が再生されるとき、楽曲の再生に合わせて、ディスプレイ３５に表示される楽曲の歌詞テロップと、楽曲の再生が開始される直前にディスプレイ３５に表示される楽曲名とを記憶する。カラオケ装置２によりカラオケの楽曲が再生されるとき、ディスプレイ３５には、楽曲の歌詞が表示される。一般広告表示情報記憶領域２３６には、後述するセンターサーバ４の一般広告リスト記憶領域４３２に記憶された一般広告表示リストに従って、複数の一般広告コンテンツを識別するための広告識別情報と、各一般広告コンテンツを表示する表示所要時間とが対応付けて記憶される。
【００３０】
楽曲記憶領域２３２と、楽曲時間情報記憶領域２３３と、タイアップリスト記憶領域２３４と、歌詞テロップ記憶領域２３５と、一般広告表示リスト記憶領域２３６とに記憶される情報は、全てセンターサーバ４から取得され、記憶される。
【００３１】
操作部２４により、ユーザは、リモコン１と同様に、楽曲を予約することができる。赤外線受信部２５は、リモコン１の赤外線送信部１２から、情報を受信する。操作処理部２６は、操作部２４および赤外線受信部２５からの情報を、操作指示として、制御部２１に送信する。シンセサイザ２７は、制御部２１による制御に従って、楽曲の音を発生させる指示をミキシングアンプ３０へ行う。マイク制御部２８は、図示外のマイクを用いてユーザにより入力される音を発生させる指示をミキシングアンプ３０へ行う。スピーカ２９およびミキシングアンプ３０は、シンセサイザ２７およびマイク制御部２８から受信する指示に従って、音を発生させる。映像制御部３３は、ビデオＲＡＭ３１、映像再生部３２、及び映像受信部３４と協働して、制御部２１による制御に従って、ディスプレイ３５に種々の映像を表示させる。また、映像制御部３３は、制御部２１による制御に従って、カメラ３６が撮影した映像を、ディスプレイ３５に表示させる。
【００３２】
［センターサーバ４の構成］
センターサーバ４は、ＬＡＮインタフェース部４０と、制御部４１と、主記憶部４２と、広告記憶部４３と、曲記憶部４４とを備える。ＬＡＮインタフェース部４０は、ネットワークに接続され、ブロードバンドルータＢＲを介して他の端末であるリモコン１と、カラオケ装置２と、広告表示装置５とに接続される。制御部４１は、センターサーバ４の動作を制御する。主記憶部４２は、センターサーバ４のメイン動作を実行させるプログラムを記憶する。
【００３３】
広告記憶部４３は、一般広告コンテンツ記憶領域４３１と、一般広告表示リスト記憶領域４３２と、タイアップ広告コンテンツ記憶領域４３３と、タイアップリスト記憶領域４３４と、時間調整広告コンテンツ記憶領域４３５とを備える。一般広告コンテンツ記憶領域４３１は、カラオケシステムＳを利用してディスプレイ５４に表示させる多数の一般広告コンテンツを記憶する。一般広告コンテンツは、タイアップリストに広告識別情報が登録されない広告コンテンツであり、カラオケ装置２により再生される楽曲に対応するタイアップ広告が存在しないときに再生される広告コンテンツ、またはカラオケ装置２により楽曲が再生されていないときに再生される広告コンテンツである。一般広告コンテンツには、広告識別情報が対応付けられている。一般広告表示リスト記憶領域４３２は、広告表示装置５により処理される一般広告表示リストを記憶する。一般広告表示リストは、複数の一般広告コンテンツをディスプレイ５４に順次表示させる表示順序と、各一般広告コンテンツを識別するための広告識別情報と、各一般広告コンテンツを表示する表示所要時間とを対応付けるリストである。図３（ｂ）は、一般広告表示リストのデータ構成を示す一例である。図３（ｂ）に示すように、一般広告表示リストには、１から１０までの番号の表示順序に対応付けられた１０個の一般広告コンテンツの広告識別情報と、各一般広告コンテンツの表示所要時間とが含まれる。図３（ｂ）に示す一般広告コンテンツが、一般広告表示リストに示された表示順序に従って順次読み出され、ディスプレイ５４に表示される。
【００３４】
タイアップ広告コンテンツ記憶領域４３３は、カラオケ装置２により再生される楽曲に合わせて、ディスプレイ５４に表示されるタイアップ広告コンテンツを記憶する。タイアップ広告コンテンツは、広告識別情報に対応付けられて記憶される。タイアップリスト記憶領域４３４は、タイアップリストとして、図３（ａ）に示すように、タイアップ広告コンテンツの広告識別情報と、告知メッセージの文字情報と、表示所要時間とを、楽曲識別情報と対応付けて記憶する。時間調整広告コンテンツ記憶領域４３５は、センターサーバ４から送信される時間調整広告コンテンツを記憶する。
【００３５】
また、曲記憶部４４は、楽曲記憶領域４４１と、楽曲時間情報記憶領域４４２と、歌詞テロップ記憶領域４４３とを備える。楽曲記憶領域４４１は、カラオケの楽曲と、楽曲を識別可能な楽曲識別情報とを対応付けて記憶する。楽曲時間情報記憶領域４４２は、楽曲記憶領域４４１に記憶される楽曲について、各楽曲の楽曲識別情報と対応付けて、楽曲の構成内容を示す非歌唱時間情報を記憶する。図３（ｃ）は、一例として、或る１曲の楽曲時間情報のデータ構成を示す説明図である。具体的には、３か所の間奏がある楽曲の例である。図３（ｃ）に示すように、楽曲の楽曲識別情報に対応して、その楽曲の前奏開始時刻と、前奏再生時間と、間奏Ａ開始時刻と、間奏Ａ再生時間と、間奏Ｂ開始時刻と、間奏Ｂ再生時間と、間奏Ｃ開始時刻と、間奏Ｃ再生時間と、後奏開始時刻と、後奏再生時間とが楽曲時間情報として記憶される。楽曲の再生所要時間は、前奏開始時刻から、後奏再生時間を経過した時刻までの時間により求められる。歌詞テロップ記憶領域４４３は、楽曲記憶領域４４１に記憶された楽曲について、各楽曲がカラオケ装置２により再生されるとき、楽曲の再生に合わせて、ディスプレイ３５に表示させる楽曲の歌詞テロップと、楽曲の再生が開始される直前にディスプレイ３５に表示させる楽曲名とを記憶する。また、本実施形態では、広告コンテンツを記憶する広告記憶部４３と、楽曲を記憶する曲記憶部４４とが、共にセンターサーバ４に備えられる構成であるが、これに限らない。広告記憶部４３と、曲記憶部４４とは、それぞれ別体のサーバにそれぞれ設けられてもよい。
【００３６】
センターサーバ４のメイン動作は、センターサーバ４の管理者により電源がオンされたことにより、実行される。センターサーバ４は、一般広告コンテンツが新たに投入されると、新たな一般広告コンテンツを、広告記憶部４３の一般広告コンテンツ記憶領域４３１に記憶する。新たな一般広告コンテンツを記憶するとき、新たな一般広告コンテンツの広告識別情報に従って、一般広告表示リストを作成し、一般広告表示リスト記憶領域４３２に記憶する。
【００３７】
センターサーバ４は、タイアップ広告コンテンツが新たに投入されると、新たなタイアップ広告コンテンツを、広告記憶部４３のタイアップ広告コンテンツ記憶領域４３３に記憶する。新たなタイアップ広告コンテンツを記憶すると、タイアップリスト記憶領域４３４に記憶されたタイアップリストに、新たなタイアップ広告コンテンツの広告識別情報と、タイアップ曲を示す楽曲識別情報との対応情報が追加され、タイアップリストが更新される。
【００３８】
センターサーバ４は、後述する広告表示装置５からの取得要求に応じて、広告表示装置５へ、定期的に一般広告表示リストとタイアップリストとを送信する。広告表示装置５は、受信した一般広告表示リストおよびタイアップリストに含まれる広告識別情報の一般広告コンテンツまたはタイアップ広告コンテンツを記憶していないと判断すると、その記憶していない一般広告コンテンツまたはタイアップ広告コンテンツを示す広告識別情報をセンターサーバ４に送信する。センターサーバ４は、要求された一般広告コンテンツまたはタイアップ広告コンテンツを広告表示装置５へ送信する。
【００３９】
［広告表示装置５の構成］
広告表示装置５は、ＬＡＮインタフェース部５１と、制御部５２と、記憶部５３と、ビデオＲＡＭ５７と、映像制御部５８とを備える。ＬＡＮインタフェース部５１は、ネットワークに接続するためのインタフェースである。広告表示装置５には、ディスプレイ５４が接続される。制御部５２は、広告表示装置５の動作を制御する。記憶部５３は、一般広告コンテンツ記憶領域５３１と、一般広告表示リスト記憶領域５３２と、タイアップ広告コンテンツ記憶領域５３３と、タイアップリスト記憶領域５３４と、時間調整広告コンテンツ記憶領域５３５と、再生情報記憶領域５３６とを備える。
【００４０】
一般広告コンテンツ記憶領域５３１は、センターサーバ４から送信される、広告識別情報が対応付けられた一般広告コンテンツを記憶する。一般広告表示リスト記憶領域５３２は、センターサーバ４から送信される一般広告表示リストを記憶する。広告表示装置５は、一般広告表示リストに含まれる広告識別情報に対応する一般広告コンテンツが、一般広告コンテンツ記憶領域５３１に記憶されていないとき、その記憶されていない一般広告コンテンツをセンターサーバ４から取得する。広告表示装置５は、電源がオンにされると、記憶領域５３１に記憶した一般広告コンテンツの再生が、一般広告表示リストに従って、順に開始される。
【００４１】
タイアップ広告コンテンツ記憶領域５３３は、センターサーバ４から送信されるタイアップ広告コンテンツを記憶する。タイアップリスト記憶領域５３４は、センターサーバ４から送信されるタイアップリストを記憶する。広告表示装置５は、タイアップリストに含まれる広告識別情報に対応するタイアップ広告コンテンツが、タイアップ広告コンテンツ記憶領域５３３に記憶されていないとき、その記憶されていないタイアップ広告コンテンツをセンターサーバ４から取得する。
【００４２】
時間調整広告コンテンツ記憶領域５３５は、センターサーバ４から送信される時間調整広告コンテンツを記憶する。例えば、広告表示装置５は、電源がオンされたとき、センターサーバ４から最新の時間調整広告コンテンツを受信し、記憶する。あるいは、時間調整広告コンテンツは、広告表示装置５に予め記憶されていてもよい。再生情報記憶領域５３６は、カラオケ装置２から送信される予約された楽曲の楽曲識別情報と予約ユーザとが対応付けられた予約リストと、広告表示装置５により再生される広告コンテンツの表示予定とを記憶する。
【００４３】
映像制御部５８は、ビデオＲＡＭ５７と協働して、制御部５２による制御に従って、ディスプレイ５４に広告コンテンツに従った映像を表示させる。ビデオＲＡＭ５７は、ディスプレイ５４に表示させる映像を一時記憶する。
【００４４】
［カラオケシステムの動作］
第１の実施形態のカラオケシステムＳに用いられるカラオケ装置２の動作と、広告表示装置５の動作とについて、図３（ａ）〜図３（ｆ２）、図４、図５、図６、および図７を用いて説明する。
【００４５】
広告表示装置５では、電源がオンされると、記憶部５３の一般広告表示リスト記憶領域５３２に記憶された一般広告表示リストに従って、一般広告コンテンツが１つずつ順次再生される。例えば、広告表示装置５では、一般広告表示リスト記憶領域５３２に、図３（ｂ）に示す一般広告表示リストが記憶されているとき、広告識別情報「ＺＺＺ」の一般広告コンテンツの再生が開始され、広告識別情報「ＹＹＹ」、広告識別情報「ＸＸＸ」、…、広告識別情報「ＯＯＯ」の広告コンテンツが順に再生される。広告表示装置５は、一般広告表示リストの広告コンテンツを繰り返し再生し、カラオケ装置２により再生される楽曲に応じて、楽曲に対応するタイアップ広告コンテンツを、一般広告コンテンツの再生に割り込んで再生する。
【００４６】
一方、カラオケ装置２は、電源がオンされるとき、記憶部２３の所定の記憶領域に記憶されるプログラムに従って、メイン動作を実行する。図４は、カラオケ装置２におけるメイン動作の処理手順を示すフローチャートである。カラオケ装置２は、図４に示すステップＳ２０２〜ステップＳ２４０の処理を実行する。図５は、メイン処理のＳ２１２で実行される決定処理である。カラオケ装置２は、決定処理において、図５に示すステップＳ２１２２〜ステップＳ２１８０の処理を実行する。図６は、決定処理のＳ２１４０で実行される表示タイミング決定処理である。カラオケ装置２は、表示タイミング決定処理において、図６に示すステップＳ２１４１〜ステップＳ２１５２の処理を実行する。
【００４７】
ステップＳ２０２では、リモコン１からカラオケ装置２へ楽曲の再生を予約する要求がされたか否かが判断される。楽曲の再生を予約する要求がされたと判断されると（ステップＳ２０２：ＹＥＳ）、ステップＳ２０４の処理が実行される。楽曲の再生を予約する要求がされたと判断されないと（ステップＳ２０２：ＮＯ）、ステップＳ２１８の処理が実行される。例えば、カラオケ装置２が、リモコン１から、楽曲識別情報「５５５５５」の楽曲を予約する要求を受信したとする。このとき、ステップＳ２０２では、楽曲識別情報「５５５５５」の楽曲を予約する要求がされたと判断され（ステップＳ２０２：ＹＥＳ）、ステップＳ２０４の処理が実行される。
【００４８】
ステップＳ２０４では、リモコン１から、再生を予約する要求がされた楽曲の楽曲識別情報と、楽曲を予約したユーザＩＤとが取得され、再生情報記憶領域２３１の予約リストに記憶される。例えば、ステップＳ２０２において、楽曲識別情報「５５５５５」の楽曲を予約する要求がされたと判断されると（ステップＳ２０２：ＹＥＳ）、ステップＳ２０４では、リモコン１から取得した情報に従って、再生情報記憶領域２３１の予約リストの１曲目に、図３（ｄ１）に示すように、楽曲識別情報「５５５５５」と、ユーザＩＤ「Ｙ」とが追加され、記憶される。
【００４９】
ステップＳ２０６では、タイアップリスト記憶領域２３４に記憶された図３（ａ）のタイアップリストに、ステップＳ２０４において記憶された予約リストの楽曲識別情報に対応する広告識別情報が対応付けられているか否かが判断される。タイアップリストに従って、予約された楽曲に対応するタイアップ広告コンテンツが存在すると判断されると（ステップＳ２０６：ＹＥＳ）、ステップ２０８の処理が実行される。予約された楽曲に対応するタイアップ広告コンテンツが存在すると判断されないと（ステップＳ２０６：ＮＯ）、ステップ２４０の処理が実行される。例えば、ステップＳ２０４において予約リストの１曲目に楽曲識別情報「５５５５５」が記憶されたとき、ステップＳ２０６では、図３（ａ）に示すタイアップリストに楽曲識別情報「５５５５５」に対応する広告識別情報がないと判断され（ステップＳ２０６：ＮＯ）、ステップＳ２４０の処理が実行される。
【００５０】
ステップＳ２４０では、電源をオフにする指示がされたか否かが判断される。電源をオフにする指示がされたと判断されると（ステップＳ２４０：ＹＥＳ）、カラオケ装置２のメイン処理が終了される。電源をオフにする指示がされたと判断されないと（ステップＳ２４０：ＮＯ）、ステップＳ２０２の処理が実行される。
【００５１】
例えば、楽曲識別情報「５５５５５」の楽曲を予約する要求を受信したと判断されてから、１０秒後に、リモコン１から、楽曲識別情報「３３３３３」の楽曲を予約する要求を受信したとする。このとき、楽曲識別情報「３３３３３」の楽曲を予約する要求を受信するまでは、楽曲の予約要求があると判断されず（ステップＳ２０２：ＮＯ）、後述するステップＳ２１８〜ステップＳ２３８の処理が実行される。楽曲の予約要求があると判断されないとき（ステップＳ２０２：ＮＯ）、後述ステップＳ２２２の処理が実行されると、予約された楽曲の再生が開始される。例えば、楽曲識別情報「３３３３３」の楽曲を予約する要求を受信するまでに、ステップＳ２２２の処理が実行されると、楽曲識別情報「５５５５５」の楽曲の再生が開始される。
【００５２】
楽曲識別情報「５５５５５」の楽曲を予約する要求を受信したと判断されてから、１０秒後に、ステップＳ２０２が再度実行されたとする。再度実行されるステップＳ２０２において、例えば、カラオケ装置２は、リモコン１から、楽曲識別情報「３３３３３」の楽曲を予約する要求を受信したとする。このとき、ステップＳ２０２では、楽曲識別情報「３３３３３」の楽曲を予約する要求がされたと判断され（ステップＳ２０２：ＹＥＳ）、ステップＳ２０４の処理が実行される。
【００５３】
ステップＳ２０４では、再生を予約する要求がされた楽曲の楽曲識別情報と、楽曲を予約したユーザＩＤとが、リモコン１から取得され、再生情報記憶領域２３１の予約リストに記憶される。例えば、ステップＳ２０２において、楽曲識別情報「３３３３３」の楽曲を予約する要求がされたと判断されると（ステップＳ２０２：ＹＥＳ）、ステップＳ２０４では、リモコン１から取得した情報に従って、再生情報記憶領域２３１の予約リストの２曲目に、図３（ｄ２）に示すように、楽曲識別情報「３３３３３」と、ユーザＩＤ「Ｚ」とが追加され、記憶される。
【００５４】
ステップＳ２０６では、タイアップリスト記憶領域２３４に記憶されたタイアップリストに、ステップＳ２０４において予約リストに記憶された楽曲識別情報に対応する広告識別情報が対応付けられているか否かが判断される。ステップＳ２０６において、図３（ａ）に示すタイアップリストに、予約リストの２曲目に記憶された楽曲識別情報「３３３３３」に対応する広告識別情報「ＢＢＢ」のタイアップ広告コンテンツがあると判断されるとき（ステップＳ２０６：ＹＥＳ）、ステップＳ２０８の処理が実行される。
【００５５】
ステップＳ２０８では、広告表示装置５から、再生される広告コンテンツの表示状況が取得される。具体的には、広告コンテンツの表示状況として、広告表示装置５から、再生情報記憶領域５３６に記憶されるタイアップ広告コンテンツの表示予定と、広告表示装置５により再生中の広告コンテンツの再生経過時間が、広告表示装置５から取得される。例えば、広告表示装置５において、図３（ｂ）に示す一般広告表示リストに従って一般広告コンテンツが再生され、広告識別情報「ＺＺＺ」の再生が１０秒経過しているとき、カラオケ装置２において、ステップＳ２０８が実行されると、一般広告コンテンツの広告識別情報「ＺＺＺ」の再生経過時間「１０秒」が取得される。ステップＳ２０８では、広告再生装置５において表示を予定しているタイアップ広告コンテンツがなく、再生情報記憶領域５３６にタイアップ広告コンテンツの表示予定が記憶されていない場合は、表示予定を取得しない。
【００５６】
ステップＳ２１０では、再生情報記憶領域２３１に記憶された予約リストに基づいて、楽曲の再生状況が取得される。具体的には、楽曲の再生状況として、再生中の楽曲の楽曲識別情報と、楽曲の再生経過時間とが取得される。例えば、最初のステップＳ２０２の処理において、楽曲識別情報「５５５５５」の楽曲が予約され、再度実行されたステップＳ２０２の処理において、楽曲識別情報「３３３３３」の楽曲が予約された場合、カラオケ装置２では、まず、楽曲識別情報「５５５５５」の楽曲の再生が開始されている。このとき、ステップＳ２１０では、再生が開始された楽曲識別情報「５５５５５」の再生経過時間が取得される。例えば、ステップＳ２１０の処理が実行される時点で、楽曲識別情報「５５５５５」の再生が４分００秒を経過している場合、楽曲識別情報「５５５５５」の楽曲の再生経過時間として「４分００秒」が取得される。
【００５７】
ステップＳ２１２では、再生が予約された楽曲に対応するタイアップ広告コンテンツの表示タイミングと、タイアップ広告コンテンツの再生を事前に告知する告知メッセージの告知タイミングとを決定する決定処理が実行される。
【００５８】
［決定処理］
次に、メイン処理のステップＳ２１２において実行される決定処理の処理手順を、図５を参照して説明する。
【００５９】
図５に示す決定処理において、ステップＳ２１２２では、ステップＳ２０４において記憶された予約リストに従って、予約リストの楽曲識別情報に対応するタイアップ広告コンテンツが、ステップＳ２０８において取得された表示予定にあるか否かが判断される。ステップＳ２１２２において、予約された楽曲の楽曲識別情報に対応するタイアップ広告コンテンツが、既に表示予定にあると判断されると（ステップＳ２１２２：ＹＥＳ）、ステップＳ２１６０の処理が実行される。例えば、予約リストに、直前のステップＳ２０２で予約された楽曲と、同じ楽曲または同じアーティストの楽曲が既に予約済みであった場合は、表示予定に、同じタイアップ広告コンテンツが既に登録されている可能性がある。同じタイアップ広告コンテンツは、複数回連続して再生するより、所定時間の間隔をあけて再度再生する方が、広告効果があると考えられる。そのため、ステップＳ２１２２では、同一のタイアップ広告コンテンツが複数回再生される場合は、ステップＳ２１６０の処理により、後で表示タイミングをチェックさせる。一方、ステップＳ２１２２において、予約された楽曲の楽曲識別情報に対応するタイアップ広告コンテンツが、表示予定にあると判断されないと（ステップＳ２１２２：ＮＯ）、ステップＳ２１２４の処理が実行される。
【００６０】
ステップＳ２１６０では、ステップＳ２１８の処理においてタイアップ広告コンテンツの表示タイミングが改めてチェックされる再チェックタイミングが設定される。
【００６１】
ステップＳ２１２４では、予約リストの楽曲識別情報に対応付けて記憶されたユーザＩＤに基づいて、ステップＳ２０２において再生を予約する要求がされたと判断された楽曲を予約したユーザが、ステップＳ２１０の再生状況に示される再生中の楽曲を予約したユーザと同一ユーザであるか否かが判断される。同一ユーザであると判断されると（ステップＳ２１２４：ＹＥＳ）、ステップＳ２１４０の処理が実行される。同一ユーザであると判断されないと（ステップＳ２１２４：ＮＯ）、ステップＳ２１２６の処理が実行される。例えば、ユーザＩＤ「Ｚ」が楽曲識別情報「３３３３３」を予約する要求がされ、ユーザＩＤ「Ｙ」が予約した楽曲識別情報「５５５５５」の楽曲が再生されているとき、ステップＳ２０２では、同一ユーザでないと判断され（ステップＳ２１２４：ＮＯ）、ステップＳ２１２６の処理が実行される。
【００６２】
ステップＳ２１２６では、ステップＳ２０６において、タイアップ広告コンテンツがあると判断された楽曲のタイアップ広告コンテンツについて、再生順序が決定される。例えば、ステップＳ２０６において、タイアップ広告コンテンツである広告識別情報「ＢＢＢ」の広告コンテンツがあると判断されると、図３（ｅ１）に示すように、タイアップ広告コンテンツの表示予定の１番目に、広告識別情報「ＢＢＢ」の再生順序が決定され、再生情報記憶領域２３１に記憶される。
【００６３】
ステップＳ２１２８では、ステップＳ２１０において取得された楽曲の再生状況と、楽曲時間情報記憶領域２３３に記憶された楽曲時間情報とに従って、再生中の楽曲の残り再生時間が取得される。例えば、ステップ２１０において、楽曲の再生状況として、楽曲識別情報「５５５５５」の楽曲の再生経過時間の「４分００秒」が取得されたとき、ステップＳ２１２８では、図３（ｃ）に示すように楽曲識別情報「５５５５５」の総再生時間が「５分００秒」であることに従って、楽曲の残り再生時間「１分００秒」が取得される。
【００６４】
ステップＳ２１３０では、楽曲の再生状況と、楽曲時間情報記憶領域２３３に記憶された楽曲時間情報とに従って、予約リストの楽曲のうち、直前のステップＳ２０２において予約された楽曲より前に再生の予約がされた楽曲であり、且つ未再生の楽曲の再生が全て完了するまでの完了予定時間が取得される。例えば、直前のステップＳ２０２において、図３（ｄ２）に示すように楽曲識別情報「３３３３３」が予約されたとき、楽曲識別情報「５５５５５」が再生中である。この場合は、ステップＳ２０２において予約された楽曲識別情報「３３３３３」の楽曲より先に再生される楽曲はないため、完了予定時間は、取得されない。あるいは、完了予定時間として「０分００秒」が取得される。
【００６５】
ステップＳ２１３２では、ステップＳ２０８において取得された広告コンテンツの表示状況と、記憶部２３に記憶された一般広告表示リストまたはタイアップリストにおける広告コンテンツの表示所要時間とに従って、再生中の広告コンテンツの広告残り時間が取得される。例えば、ステップＳ２０８において、広告識別情報「ＺＺＺ」の再生経過時間「１０秒」が取得されたとき、ステップＳ２１３２では、図３（ｂ）に示す一般広告表示リストの広告識別情報「ＺＺＺ」の表示所要時間「３０秒」に基づいて、広告識別情報「ＺＺＺ」の広告残り時間「０分２０秒」が取得される。
【００６６】
ステップＳ２１３４では、ステップＳ２１２６において、再生順序が決定され、再生情報記憶領域２３１に記憶されたタイアップ広告コンテンツの表示予定と、図３（ａ）のタイアップリストのタイアップ広告コンテンツの表示所要時間とに従って、表示予定のタイアップ広告コンテンツの表示完了時間が取得される。例えば、ステップＳ２１２６において、図３（ｅ１）に示すように、表示予定に広告識別情報「ＢＢＢ」が決定されているとき、図３（ａ）に示すタイアップリストに従って、広告識別情報「ＢＢＢ」の表示所要時間「０分３０秒」が表示完了時間として取得される。
【００６７】
ステップＳ２１３６では、直前のステップＳ２０２において予約された楽曲の再生が開始される時間と、表示予定のタイアップ広告コンテンツの再生が完了するまでの時間とが比較され、予約された楽曲の再生が開始される時間までに、タイアップ広告コンテンツの再生を、完了可能か否かが判断される。予約された楽曲の再生が開始される時間は、ステップＳ２１２８において取得された楽曲の残り再生時間と、ステップＳ２１３０において取得された完了予定時間との和である。表示予定のタイアップ広告コンテンツの再生が完了するまでの時間は、ステップＳ２１３２において取得された広告残り時間と、ステップＳ２１３４において取得された表示完了時間との和である。例えば、楽曲識別情報「５５５５５」の残り再生時間が「１分００秒」であり、完了予定時間が「０分００秒」であれば、予約された楽曲識別情報「３３３３３」の楽曲の再生が開始されるまでの時間は「１分００秒」である。広告識別情報「ＺＺＺ」の広告残り時間が「０分２０秒」であり、広告識別情報「ＢＢＢ」の表示完了時間が「０分３０秒」であれば、広告識別情報「ＢＢＢ」の再生が完了するまでの時間は「０分５０秒」である。ステップＳ２０２において再生を予約する要求があったと判断され、ステップＳ２０４において予約リストへ追加された楽曲の再生が開始されるまでに、タイアップ広告コンテンツの再生が完了すると判断されたとき（ステップＳ２１３６：ＹＥＳ）、ステップＳ２１３８の処理が実行される。例えば、楽曲の再生が開始されるまでの時間が「１分００秒」、タイアップ広告コンテンツの再生が完了するまでの時間が「０分５０秒」の場合は、ステップＳ２１３６ではＹＥＳと判断され、ステップＳ２１３８の処理が実行される。ステップＳ２０２において再生を予約する要求があったと判断され、ステップＳ２０４において予約リストへ追加された楽曲の再生が開始されるまでに、タイアップ広告コンテンツの再生が完了すると判断されないとき（ステップＳ２１３６：ＮＯ）、ステップＳ２１４０の処理が実行される。
【００６８】
ステップＳ２１３８では、一般広告表示リストの一般広告コンテンツと、タイアップ広告コンテンツとが再生される順序と、タイアップ広告コンテンツの表示タイミングが決定される。例えば、広告識別情報「ＺＺＺ」の広告コンテンツが再生されているとき、表示予定の１番目の広告識別情報「ＢＢＢ」の表示タイミングは、広告識別情報「ＺＺＺ」の再生完了後と決定される。決定された表示タイミングは、広告再生装置５へ通知される。表示予定の広告識別情報「ＢＢＢ」の再生が完了されると、再び、広告識別情報「ＹＹＹ」以降の一般広告コンテンツが、順次再生されると決定される。
【００６９】
ステップＳ２１８０では、決定処理のステップＳ２１３８または後述するステップＳ２１４０の処理により表示タイミングが決定されたタイアップ広告コンテンツの告知メッセージが決定される。具体的には、告知メッセージとして、告知タイミングと、告知内容とが決定される。告知タイミングは、例えば、ステップＳ２１８０の処理がおこなわれたときや、タイアップ広告コンテンツの再生が開始される直前である５秒前などに決定する。また、ステップＳ２１８０において告知メッセージを決定する対象のタイアップ広告コンテンツが再生されるまでに、複数の他のタイアップ広告コンテンツが表示予定にあるときは、表示予定の各タイアップ広告コンテンツが切り換えられるときにも、告知タイミングを決定してもよい。告知内容は、タイアップ広告コンテンツの再生予定までの時間または、タイアップ広告コンテンツの再生予定までに再生される広告コンテンツの数の情報を含む、予約された楽曲に対応するタイアップ広告が再生されることを通知する情報である。
【００７０】
例えば、表示予定に、図３（ｅ１）に示す広告識別情報「ＢＢＢ」があるとき、広告識別情報「ＢＢＢ」のタイアップ広告コンテンツは、再生中の広告識別情報「ＺＺＺ」の後に、再生される。この場合、ステップＳ２１８０では、広告識別情報「ＢＢＢ」について、図３（ｆ１）に示すように、「サブモニタに表示されるこの後の広告で、予約された曲のアーティストに関する広告を表示します。」の告知メッセージを０秒後（今すぐ）に、「サブモニタに表示される５秒後の広告で、予約された曲のアーティストに関する広告を表示します。」の告知メッセージを、広告識別情報「ＺＺＺ」の再生完了の５秒前である１５秒後に表示すると決定される。
【００７１】
［表示タイミング決定処理］
決定処理において、ステップＳ２１２４においてＹＥＳと判断されたとき、または、ステップＳ２１３６においてＮＯと判断されたとき、ステップＳ２１４０の表示タイミング決定処理が実行される。ステップＳ２１４０では、楽曲の再生中に、タイアップ広告コンテンツを再生させるタイミングを決定する表示タイミング決定処理が実行される。表示タイミング決定処理では、図６に示すステップＳ２１４１〜ステップＳ２１５２の処理が実行される。表示タイミング決定処理における楽曲は、表示タイミング決定処理が実行されるときに再生中の楽曲、または直前のステップＳ２０２において予約された楽曲である。
【００７２】
ステップＳ２１４１では、楽曲の前奏が再生される時間に、タイアップ広告コンテンツの再生完了を可能か否かが判断される。楽曲の前奏再生時間が、タイアップ広告コンテンツの表示所要時間より長いとき、楽曲の前奏が再生される時間に、タイアップ広告コンテンツの再生完了であると判断される。具体的には、楽曲の前奏再生時間が、楽曲時間情報記憶領域２３３から読み出され、タイアップ広告コンテンツの表示所要時間が、タイアップリスト記憶領域２３４から読み出される。読み出された楽曲の前奏再生時間と、タイアップ広告コンテンツの表示所要時間とが比較される。楽曲の前奏再生時間が、タイアップ広告コンテンツの表示所要時間より長いと判断されるとき（ステップＳ２１４１：ＹＥＳ）、ステップＳ２１４２が実行される。楽曲の前奏再生時間が、タイアップ広告コンテンツの表示所要時間より長いと判断されないとき（ステップＳ２１４１：ＮＯ）、ステップＳ２１４４が実行される。
【００７３】
ステップＳ２１４２では、タイアップ広告コンテンツを、楽曲の前奏と合わせて表示すると決定される。具体的には、楽曲の前奏が開始されるとき、タイアップ広告コンテンツの表示を開始させると決定する。ステップＳ２１４２では、タイアップ広告コンテンツの表示タイミングであるタイアップ広告コンテンツの表示開始時刻として、楽曲の前奏が開始される時刻が決定される。ステップＳ２１４２の処理が行われると、続けてステップＳ２１４３の処理が行われる。
【００７４】
ステップＳ２１４３では、タイアップ広告コンテンツの告知メッセージの表示を開始する表示開始時刻である告知タイミングとして、楽曲の前奏が再生される前の時刻が決定される。例えば、楽曲名がディスプレイ３５に表示される時刻が告知タイミングとして決定される。ステップＳ２１４３の処理が行われると、次に、ステップＳ２１４４の処理が行われる。
【００７５】
ステップＳ２１４４では、記憶部２３から読み出された楽曲の間奏再生時間と、タイアップ広告コンテンツの表示所要時間とが比較され、楽曲の間奏が再生される時間に、タイアップ広告コンテンツの再生完了を可能か否かが判断される。楽曲の間奏再生時間が、タイアップ広告コンテンツの表示所要時間より長いと判断されるとき（ステップＳ２１４４：ＹＥＳ）、ステップＳ２１４５が実行される。楽曲の間奏再生時間が、タイアップ広告コンテンツの表示所要時間より長いと判断されないとき（ステップＳ２１４４：ＮＯ）、ステップＳ２１４７が実行される。
【００７６】
ステップＳ２１４５では、タイアップ広告コンテンツを、楽曲の間奏と合わせて表示すると決定される。具体的には、タイアップ広告コンテンツの表示所要時間より長いと判断された間奏が開始されるとき、タイアップ広告コンテンツの表示を開始させると決定される。ステップＳ２１４５では、タイアップ広告コンテンツの表示タイミングであるタイアップ広告コンテンツの表示開始時刻として、楽曲の間奏が開始される時刻が決定される。ステップＳ２１４５の処理が行われると、続けてステップＳ２１４６の処理が行われる。
【００７７】
ステップＳ２１４６では、タイアップ広告コンテンツの告知メッセージの表示を開始する表示開始時刻である告知タイミングとして、楽曲の間奏の再生が開始される前の時刻が決定される。例えば、告知タイミングとして楽曲の間奏の再生が開始される５秒前の時刻が決定される。なお、タイアップ広告コンテンツと対応する楽曲に、間奏が複数存在するとき、各間奏について、ステップＳ２１４４〜ステップＳ２１４６の処理が行われる。
【００７８】
ステップＳ２１４７では、記憶部２３から読み出された楽曲の後奏再生時間と、タイアップ広告コンテンツの表示所要時間とが比較され、楽曲の後奏が再生される時間に、タイアップ広告コンテンツの再生完了を可能か否かが判断される。楽曲の後奏再生時間が、タイアップ広告コンテンツの表示所要時間より長いと判断されるとき（ステップＳ２１４７：ＹＥＳ）、ステップＳ２１４８が実行される。楽曲の後奏再生時間が、タイアップ広告コンテンツの表示所要時間より長いと判断されないとき（ステップＳ２１４７：ＮＯ）、ステップＳ２１５０が実行される。
【００７９】
ステップＳ２１４８では、タイアップ広告コンテンツを、楽曲の後奏と合わせて表示すると決定される。ステップＳ２１４８では、タイアップ広告コンテンツの表示タイミングであるタイアップ広告コンテンツの表示開始時刻として、楽曲の後奏が開始される時刻が決定される。具体的には、楽曲の後奏が開始されるとき、タイアップ広告コンテンツの表示を開始させると決定される。ステップＳ２１４８の処理が行われると、続けてステップＳ２１４９の処理が行われる。
【００８０】
ステップＳ２１４９では、タイアップ広告コンテンツの告知メッセージの表示を開始する表示開始時刻である告知タイミングとして、楽曲の後奏の再生が開始される前の時刻が決定される。例えば、告知タイミングとして楽曲の後奏の再生が開始される５秒前の時刻が決定される。
【００８１】
ステップＳ２１５０では、タイアップ広告コンテンツの表示所要時間よりも、楽曲の前奏、間奏、後奏のいずれの再生時間も短いと判断されたか否かが判断される。タイアップ広告コンテンツの表示所要時間よりも、楽曲の前奏、間奏、後奏のいずれの再生時間も短いとき（ステップＳ２１５０：ＹＥＳ）、ステップＳ２１５１の処理が実行される。ステップＳ２１４１、ステップＳ２１４４、及びステップＳ２１４７のいずれかの処理において、楽曲の前奏、間奏、後奏のいずれかの再生時間がタイアップ広告コンテンツの表示所要時間よりも長いと判断されたとき（ステップＳ２１５０：ＮＯ）、ステップＳ２１８０の処理が実行される。
【００８２】
ステップＳ２１５１では、タイアップ広告コンテンツを、楽曲の後奏と合わせて表示すると決定される。ステップＳ２１５１では、タイアップ広告コンテンツの表示タイミングであるタイアップ広告コンテンツの表示開始時刻として、楽曲の後奏が開始される時刻が決定される。ステップＳ２１５１において、楽曲の後奏と合わせてタイアップ広告コンテンツを表示すると決定された場合は、楽曲の後奏の再生が終了された後も、タイアップ広告コンテンツは表示される。ステップＳ２１５１の処理が行われると、続けてステップＳ２１５２の処理が実行される。
【００８３】
ステップＳ２１５２では、タイアップ広告コンテンツの告知メッセージの表示を開始する表示開始時刻である告知タイミングとして、楽曲の後奏の再生が開始される前の時刻が決定される。例えば、告知タイミングとして楽曲の後奏の再生が開始される５秒前の時刻が決定される。ステップＳ２１５２の処理が行われると、前述のステップＳ２１８０の処理と、ステップＳ２１４の処理とが実行される。
【００８４】
ステップＳ２１４では、決定処理と、予約リストに従って再生される楽曲の再生状況とに従って、タイアップ広告コンテンツに対応する楽曲が再生されるより前に、タイアップ広告コンテンツを再生可能であるか否かが判断される。タイアップ広告コンテンツを再生可能であると判断されたとき(ステップＳ２１４：ＹＥＳ)、ステップＳ２１６の処理が実行される。タイアップ広告コンテンツを再生可能であると判断されないとき(ステップＳ２１４：ＮＯ)、ステップＳ２４０の処理が実行される。
【００８５】
ステップＳ２１６では、タイアップ広告コンテンツが、楽曲の再生前に再生されることを事前に告知する告知メッセージが、決定処理のステップＳ２１８０の処理により通知された告知タイミングに従ってディスプレイ３５に表示される。
【００８６】
ステップＳ２４０では、電源をオフにする指示がされたと判断されないとき（ステップＳ２４０：ＮＯ）、再度、ステップＳ２０２の処理が実行される。
【００８７】
再び実行されるステップＳ２０２では、例えば、カラオケ装置２が、リモコン１から、楽曲識別情報「１１１１１」の楽曲を予約する要求を受信したとする。リモコン１から楽曲識別情報「１１１１１」の楽曲を予約する要求を受信したことにより、ステップＳ２０２において、楽曲識別情報「１１１１１」の楽曲を予約する要求がされたと判断されると（ステップＳ２０２：ＹＥＳ）、ステップＳ２０４の処理が実行される。
【００８８】
ステップＳ２０４では、ステップＳ２０２において楽曲識別情報「１１１１１」の楽曲を予約する要求がされたと判断されたとき、再生情報記憶領域２３１に記憶される予約リストの３曲目に、図３（ｄ３）に示すように、楽曲識別情報「１１１１１」と、ユーザＩＤ「Ｘ」とが追加され、記憶される。
【００８９】
ステップＳ２０６では、図３（ａ）に示すタイアップリストに、予約された楽曲識別情報「１１１１１」に対応する広告識別情報「ＡＡＡ」があると判断され（ステップＳ２０６：ＹＥＳ）、ステップ２０８の処理が実行される。
【００９０】
ステップＳ２０８では、広告表示装置５から、広告コンテンツの表示状況として、再生中の広告コンテンツの再生経過時間と、タイアップ広告コンテンツの表示予定とが、取得される。例えば、図３（ｂ）に示す一般広告表示リストの広告識別情報「ＺＺＺ」の再生が、２０秒を経過しているとき、カラオケ装置２は、広告識別情報「ＺＺＺ」の再生経過時間「２０秒」と、前回のステップＳ２１２６において記憶された図３（ｅ１）に示すタイアップ広告コンテンツの表示予定の１番目の広告識別情報「ＢＢＢ」とが、広告表示装置５から取得される。
【００９１】
ステップＳ２１０では図３（ｄ３）に示す予約リストに基づいて、楽曲の再生状況として、再生中の楽曲の楽曲識別情報と、楽曲の再生経過時間とが取得される。例えば、再度実行されたステップＳ２０２において、楽曲識別情報「１１１１１」の楽曲が予約されたとき、カラオケ装置２では、１曲目の楽曲識別情報「５５５５５」の楽曲の再生が開始されているとする。ステップＳ２１０では、楽曲識別情報「５５５５５」の再生経過時間が取得される。例えば、ステップＳ２１０の処理が実行される時点で、楽曲識別情報「５５５５５」の再生が４分１０秒を経過している場合、楽曲識別情報「５５５５５」の楽曲の再生経過時間「４分１０秒」が取得される。ステップＳ２１０が実行されると、ステップＳ２１２の決定処理が再度実行される。
【００９２】
決定処理では、まず、ステップＳ２１２２において、予約された楽曲の楽曲識別情報に対応するタイアップ広告コンテンツが、ステップＳ２０８において取得された表示予定に含まれるか否かが判断される。予約された楽曲の楽曲識別情報「１１１１１」に対応するタイアップ広告コンテンツが、既に図３（ｅ１）に示す表示予定に含まれると判断されないと（ステップＳ２１２２：ＮＯ）、ステップＳ２１２４の処理が実行される。
【００９３】
ステップＳ２１２４では、予約リストの楽曲識別情報に対応付けて記憶されたユーザＩＤに基づいて、楽曲を予約したユーザが、再生中の楽曲を予約したユーザと同一ユーザであるか否かが判断される。例えば、ステップＳ２０２において、ユーザＩＤ「Ｚ」が楽曲識別情報「３３３３３」を予約する要求がされたとき、再生されている楽曲識別情報「５５５５５」の楽曲の予約者はユーザＩＤ「Ｙ」であるため、同一ユーザでないと判断され（ステップＳ２１２４：ＮＯ）、ステップＳ２１２６の処理が実行される。
【００９４】
ステップＳ２１２６では、楽曲のタイアップ広告コンテンツについて、再生順序が決定される。例えば、ステップＳ２０６において、楽曲識別情報「１１１１１」に対応するタイアップ広告コンテンツである広告識別情報「ＡＡＡ」があると判断されると、図３（ｅ２）に示すように、タイアップ広告コンテンツの表示予定の２番目に、広告識別情報「ＡＡＡ」の再生順序が決定される。このとき、タイアップ広告コンテンツに優先度を付し、優先度が高いタイアップ広告コンテンツの表示予定を最先としても良い。例えば、表示予定の１番目に記憶されている広告識別情報「ＢＢＢ」の優先度より、広告識別情報「ＡＡＡ」の優先度を高く設定し、広告識別情報「ＡＡＡ」を表示予定の１番目としてもよい。
【００９５】
ステップＳ２１２８では、再生中の楽曲の残り再生時間が取得される。例えば、ステップ２１０において、楽曲識別情報「５５５５５」の楽曲の再生経過時間「４分１０秒」が取得されたとき、図３（ｃ）に示すように楽曲識別情報「５５５５５」の総再生時間が「５分００秒」であることから、ステップＳ２１２８では、楽曲の残り再生時間「０分５０秒」が取得される。
【００９６】
ステップＳ２１３０では、直前のステップＳ２０２において予約された楽曲より前に再生される楽曲であり、且つ未再生である再生が完了するまでの完了予定時間が取得される。直前のステップＳ２０２において、図３（ｄ３）に示すように楽曲識別情報「１１１１１」が予約されたとき、楽曲識別情報「５５５５５」が再生中であり、楽曲識別情報「３３３３３」が未再生の楽曲である。例えば、楽曲識別情報「３３３３３」の総再生時間が「３分００秒」であるとき、ステップＳ２１３０では、完了予定時間として「３分００秒」が取得される。
【００９７】
ステップＳ２１３２では、再生中の広告コンテンツの広告残り時間が取得される。例えば、ステップＳ２０８において、広告識別情報「ＺＺＺ」の広告コンテンツの再生経過時間「２０秒」が取得されたとき、ステップＳ２１３２では、図３（ｂ）に示す一般広告表示リストに従って、表示所要時間３０秒の広告識別情報「ＺＺＺ」の広告残り時間「０分１０秒」が取得される。
【００９８】
ステップＳ２１３４では、表示予定のタイアップ広告コンテンツの表示完了時間が取得される。例えば、ステップＳ２１２６において、図３（ｅ２）に示す表示予定に、楽曲識別情報「３３３３３」に対応する広告識別情報「ＢＢＢ」と、楽曲識別情報「１１１１１」に対応する広告識別情報「ＡＡＡ」とが決定されているとき、図３（ａ）に示すタイアップリストに従って、広告識別情報「ＢＢＢ」の表示所要時間「０分３０秒」と、広告識別情報「ＡＡＡ」の表示所要時間「０分３０秒」との和である「１分００秒」が表示完了時間として取得される。
【００９９】
ステップＳ２１３６では、予約された楽曲識別情報「１１１１１」の再生が開始される時間までに、タイアップ広告コンテンツ「ＡＡＡ」の再生を、完了可能か否かが判断される。例えば、ステップＳ２１２８において取得された楽曲識別情報「５５５５５」の残り再生時間が「０分５０秒」であり、ステップＳ２１３０において取得された完了予定時間が「３分００秒」であれば、予約された楽曲識別情報「１１１１１」の楽曲の再生が開始されるまでの時間は、「３分５０秒」である。ステップＳ２１３２の処理により取得された広告残り時間が「０分１０秒」であり、ステップＳ２１３４の処理により取得された表示完了時間が「１分００秒」であるとき、タイアップ広告コンテンツの広告識別情報「ＡＡＡ」の再生が完了するまでの時間は「１分１０秒」である。このとき、楽曲識別情報「１１１１１」の楽曲の再生が開始されるまでの時間が「３分５０秒」、広告識別情報「ＡＡＡ」のタイアップ広告コンテンツの再生が完了するまでの時間が「１分１０秒」のため、ステップＳ２１３６ではＹＥＳと判断され、ステップＳ２１３８の処理が実行される。
【０１００】
ステップＳ２１３８では、一般広告表示リストの一般広告コンテンツと、タイアップ広告コンテンツとが再生される順序と、タイアップ広告コンテンツの表示タイミングが決定される。例えば、広告識別情報「ＺＺＺ」の広告コンテンツが再生され、表示予定の１番目に広告識別情報「ＢＢＢ」が決定されているとき、表示予定の２番目の広告識別情報「ＡＡＡ」の表示タイミングは、広告識別情報「ＢＢＢ」の再生完了後と決定される。決定された表示タイミングは、広告再生装置５へ通知される。表示予定の広告識別情報「ＡＡＡ」の再生が完了されると、再び、広告識別情報「ＹＹＹ」以降の一般広告コンテンツが、順次再生されると決定される。
【０１０１】
ステップＳ２１８０では、決定されたタイアップ広告コンテンツの告知メッセージが決定される。例えば、決定処理の処理により、図３（ｅ２）に示すように、表示予定の２番目に広告識別情報「ＡＡＡ」が登録されたとき、広告識別情報「ＡＡＡ」のタイアップ広告コンテンツは、再生中の広告識別情報「ＺＺＺ」の一般広告コンテンツと、広告識別情報「ＢＢＢ」のタイアップ広告コンテンツとが再生された後に、再生される。この場合、ステップＳ２１８０では、広告識別情報「ＡＡＡ」のタイアップ広告コンテンツについて、図３（ｆ２）に示すように、「サブモニタに表示される２つの後の広告で、予約された曲のアーティストに関する広告を表示します。」の告知メッセージを０秒後（今すぐ）に、「サブモニタに表示されるこの後の広告で、予約された曲のアーティストに関する広告を表示します。」の告知メッセージを、広告識別情報「ＺＺＺ」の再生完了がされるときである１０秒後に、「サブモニタに表示される５秒後の広告で、予約された曲のアーティストに関する広告を表示します。」の告知メッセージを、広告識別情報「ＺＺＺ」に続いて再生される広告識別情報「ＢＢＢ」の再生完了の５秒前である３５秒後に表示すると決定される。
【０１０２】
ステップＳ２１８０が実行された後は、ステップＳ２１４、ステップＳ２１６、ステップＳ２４０の処理が実行される。ステップＳ２４０において、電源をオフにする指示がされたと判断されないと（ステップＳ２４０：ＮＯ）、ステップＳ２０２の処理が実行される。ステップＳ２０２において、カラオケ装置２へ楽曲の再生を予約する要求がされたと判断されないと（ステップＳ２０２：ＮＯ）、ステップＳ２１８の処理が実行される。
【０１０３】
ステップＳ２１８では、タイアップ広告コンテンツの表示タイミングを改めてチェックする再チェックタイミングになったか否かが判断される。タイアップ広告コンテンツの再チェックタイミングになったと判断されると（ステップＳ２１８：ＹＥＳ）、ステップＳ２０８の処理が実行される。タイアップ広告コンテンツの再チェックタイミングになったと判断されないと（ステップＳ２１８：ＮＯ）、ステップＳ２２０の処理が実行される。
【０１０４】
ステップＳ２２０では、予約リストに記憶された楽曲が再生タイミングになったか否かが判断される。楽曲が再生タイミングになったと判断されると（ステップＳ２２０：ＹＥＳ）、ステップＳ２２２の処理が実行される。楽曲が再生タイミングになったと判断されないと（ステップＳ２２０：ＮＯ）、ステップＳ２２４の処理が実行される。
【０１０５】
ステップＳ２２２では、楽曲の再生が開始される。Ｓ２２２において、楽曲の再生が開始されるとき、楽曲の再生経過時間のカウントが開始される。
【０１０６】
ステップＳ２２４では、タイアップ広告コンテンツの告知タイミングとなったか否かが判断される。告知タイミングとなったと判断されると（ステップＳ２２６：ＹＥＳ）、ステップＳ２２６の処理が実行される。告知タイミングとなったと判断されないと（ステップＳ２２６：ＮＯ）、ステップＳ２２８の処理が実行される。
【０１０７】
ステップＳ２２６では、タイアップ広告コンテンツの存在と、再生時期とが、告知メッセージとして、ディスプレイ３５に表示される。告知メッセージにおいては、告知メッセージが表示される時点から、タイアップ広告コンテンツが再生されるまでに再生される広告コンテンツの予定広告数とともに表示される。詳細には、後述する決定処理のステップＳ２１３８において、決定される広告コンテンツの表示予定に従って、表示予定から１を引いた数を予定広告数として、タイアップ広告コンテンツの存在と、再生時期とを示す告知メッセージがディスプレイ３５に表示される。ステップＳ２２６の処理が実行されると、例えば、ディスプレイ３５には、「サブモニタに表示される２つ後の広告で、予約された曲のアーティストに関連する広告を表示します。」という告知メッセージが表示される。
【０１０８】
ステップＳ２２８では、タイアップリストの更新タイミングとなったか否かが判断される。タイアップリストの更新タイミングとしては、定期的にセンターサーバ４からリストを取得する更新タイミングが設定される。具体的には、タイアップリストの前回の取得時から、所定時間が経過したとき、ステップＳ２２８では、更新タイミングとなったと判断される。タイアップリストの更新タイミングとなったと判断されると（ステップＳ２２８：ＹＥＳ）、ステップＳ２３０の処理が行われる。タイアップリストの更新タイミングとなったと判断されないと（ステップＳ２２８：ＮＯ）、ステップＳ２３２の処理が行われる。ステップＳ２３０では、最新のタイアップリストが、センターサーバ４から取得される。
【０１０９】
ステップＳ２３２では、タイアップ広告コンテンツが再生されるまでの待ち時間が、広告表示装置５から要求されたか否かが判断される。広告表示装置５から、タイアップ広告コンテンツの再生待ち時間が要求されたと判断されると（ステップＳ２３２：ＹＥＳ）、ステップＳ２３４の処理が実行される。広告表示装置５から、タイアップ広告コンテンツの再生待ち時間が要求されたと判断されないと（ステップＳ２３２：ＮＯ）、ステップＳ２３６の処理が実行される。ステップ２３４では、タイアップ広告コンテンツが再生されるまでの待ち時間が、広告表示装置５へ送信される。
【０１１０】
ステップＳ２３６では、一般広告表示リストに従って広告表示装置５において再生される一般広告コンテンツが、新たな広告コンテンツに切り替えられることを示す切り替わり通知を、広告表示装置５から受信したか否かが判断される。切り替わり通知を受信したと判断されると（ステップＳ２３６：ＹＥＳ）、ステップＳ２３８の処理が実行される。切り替わり通知を受信したと判断されないと（ステップＳ２３６：ＮＯ）、ステップＳ２４０の処理が実行される。ステップＳ２３８では、タイアップ広告コンテンツの告知メッセージの告知タイミングと、告知内容とを、切り替わり通知を受信したタイミングに応じて更新する。
【０１１１】
ステップＳ２４０では、電源をオフにする指示がされたか否かが判断される。電源をオフにする指示がされたと判断されると（ステップＳ２４０：ＹＥＳ）、カラオケ装置２のメイン処理が終了される。
【０１１２】
［広告表示装置５の処理］
次に、第１の実施形態のカラオケシステムＳに用いられる広告表示装置５の動作および作用について、図７を参照して説明する。図７は、広告表示装置５におけるメイン動作の処理手順を示すフローチャートである。なお、広告表示装置５にメイン動作を実行させるプログラムは、記憶部５３の所定の記憶領域に記憶されている。広告表示装置５のメイン動作は、例えば、広告表示装置５の電源がオンされたことにより、実行される。以下、図７に示すステップＳ１０２〜ステップＳ１３８のメイン処理は、すべて制御部５２により実行される。
【０１１３】
ステップＳ１０２では、一般広告表示リストと、タイアップリストとが更新されたか否かが判断される。一般広告表示リストと、タイアップリストとを、定期的にセンターサーバ４へ問い合わせることにより、各リストが更新されたか否かを判断する。一般広告表示リストと、タイアップリストとが更新されたと判断されると（ステップＳ１０２：ＹＥＳ）、ステップＳ１０４の処理が実行される。一般広告表示リストと、タイアップリストとが更新されたと判断されないと（ステップＳ１０２：ＮＯ）、ステップＳ１０８の処理が実行される。
【０１１４】
ステップＳ１０２において一般広告表示リストと、タイアップリストとの更新があると判断されると、ステップＳ１０４においてセンターサーバ４から一般広告表示リストと、タイアップリストとが取得される。取得された一般広告表示リストは、記憶部５３の一般広告表示リスト記憶領域５３２に記憶され、取得されたタイアップリストは、記憶部５３のタイアップリスト記憶領域５３４に記憶される。
【０１１５】
ステップＳ１０６では、ステップＳ１０４で取得された一般広告表示リストと、タイアップリストとに従って、センターサーバ４から一般広告コンテンツと、タイアップ広告コンテンツとが取得される。取得された一般広告コンテンツは、記憶部５３の一般広告コンテンツ記憶領域５３１に記憶される。取得されたタイアップ広告コンテンツは、記憶部５３のタイアップ広告コンテンツ記憶領域５３３に記憶される。
【０１１６】
ステップＳ１０８では、カラオケ装置２からタイアップリストの送信要求がされたか否かが判断される。タイアップリストの送信要求がされたと判断されると（ステップＳ１０８：ＹＥＳ）、ステップＳ１１０の処理が実行される。タイアップリストの送信要求がされたと判断されないと（ステップＳ１０８：ＮＯ）、ステップＳ１１２の処理が実行される。ステップＳ１１０では、カラオケ装置２へタイアップリストが送信される。
【０１１７】
ステップＳ１１２では、広告表示装置５により再生されている広告コンテンツの表示状況が、カラオケ装置２から要求されたか否かが判断される。表示状況が要求されたと判断されると（ステップＳ１１２：ＹＥＳ）、ステップＳ１１４の処理が実行される。表示状況が要求されたと判断されないと（ステップＳ１１２：ＮＯ）、ステップＳ１１６の処理が実行される。ステップＳ１１４では、広告コンテンツの表示状況として、再生中の広告コンテンツの再生経過時間と、広告コンテンツの表示予定とがカラオケ装置２へ送信される。具体的には、再生中の広告コンテンツの再生開始からの経過時間と、一般広告表示リストに含まれる各広告コンテンツの表示所要時間と、タイアップリストに含まれる各タイアップ広告コンテンツの表示所要時間とが、カラオケ装置２へ送信される。
【０１１８】
ステップＳ１１６では、タイアップ広告コンテンツの表示タイミングが、カラオケ装置２から通知されたか否かが判断される。タイアップ広告コンテンツの表示タイミングは、ステップＳ２１８０において広告表示装置５に通知される。表示タイミングが通知されたと判断されると（ステップＳ１１６：ＹＥＳ）、ステップＳ１１８の処理が実行される。表示タイミングが通知されたと判断されないと（ステップＳ１１６：ＮＯ）、ステップＳ１２０の処理が実行される。ステップＳ１１８では、ステップＳ１１６において通知されたと判断された表示タイミングが、タイアップ広告コンテンツに対応付けて記憶される。
【０１１９】
ステップＳ１２０では、タイアップ広告コンテンツの表示タイミングになったか否かが判断される。タイアップ広告コンテンツの表示タイミングになったと判断されると（ステップＳ１２０：ＹＥＳ）、ステップＳ１２２の処理が実行される。タイアップ広告コンテンツの表示タイミングになったと判断されないと（ステップＳ１２０：ＮＯ）、ステップＳ１３２の処理が実行される。
【０１２０】
ステップＳ１２２では、ステップＳ１２０において表示タイミングとなったと判断されたタイアップ広告コンテンツを再生する。
【０１２１】
ステップＳ１２４では、ステップＳ１２２においてタイアップ広告コンテンツが再生されることにより、再生される広告コンテンツが切り替わったことが、カラオケ装置２へ通知される。
【０１２２】
ステップＳ１２６では、カラオケ装置２により楽曲が再生されている再生中に、タイアップ広告コンテンツを再生させるか否かが判断される。楽曲の再生中に、タイアップ広告コンテンツを再生させると判断されたとき（ステップＳ１２６：ＹＥＳ）、ステップＳ１２８の処理が実行される。楽曲の再生中に、タイアップ広告コンテンツを再生させると判断されないとき（ステップＳ１２６：ＮＯ）、ステップＳ１３８の処理が実行される。
【０１２３】
ステップ１２８では、カラオケ装置２から、ステップＳ１２６において楽曲の再生中に再生させると判断されたタイアップ広告コンテンツを再生されるまでの待ち時間が取得される。ステップＳ１３０では、ステップＳ１２８において取得された待ち時間に応じて、タイアップ広告コンテンツを再生させる表示タイミングが変更される。
【０１２４】
ステップＳ１３２では、時間調整広告コンテンツを再生させる表示タイミングとなったか否かが判断される。具体的には、時間調整広告コンテンツは、広告コンテンツの表示予定に従って広告コンテンツが再生されるとき、タイアップ広告コンテンツの一つ前に再生される広告コンテンツの再生終了と、そのタイアップ広告コンテンツの再生が開始される表示タイミングとの間に、空き時間が存在する場合に、その空き時間に表示させ、タイアップ広告コンテンツの表示タイミングが来たら強制的に終了させることが可能な静止画等の広告コンテンツである。タイアップ広告コンテンツの一つ前に再生される広告コンテンツの再生終了と、タイアップ広告コンテンツの再生が開始される表示タイミングとの間に、空き時間が存在すると判断されたか否かにより、表示タイミングとなったか否かが判断される。時間調整広告コンテンツの表示タイミングとなったと判断されると（ステップＳ１３２：ＹＥＳ）、ステップＳ１３４の処理が実行される。ステップＳ１３４では、時間調整広告コンテンツが再生される。ステップＳ１３４が実行されると、続いて、ステップＳ１２２の処理が実行される。
【０１２５】
時間調整広告コンテンツの表示タイミングとなったと判断されないと（ステップＳ１３２：ＮＯ）、ステップＳ１３６の処理が実行される。ステップＳ１３６では、一般広告表示リストに従って、一般広告コンテンツが１つ再生される。
【０１２６】
ステップＳ１３８では、電源をオフにする指示がされたか否かが判断される。電源をオフにする指示がされたと判断されると（ステップＳ１３８：ＹＥＳ）、広告表示装置５のメイン処理が終了される。電源をオフにする指示がされたと判断されないと（ステップＳ１３８：ＮＯ）、ステップＳ１０２の処理が実行される。
【０１２７】
［第２の実施形態］
以下、本発明の第２の実施形態について、説明する。
【０１２８】
第１の実施形態と、第２の実施形態とは、タイアップ広告コンテンツの表示タイミングと、告知メッセージの告知タイミングとを決定する装置が、異なる点で相違する。第１の実施形態では、タイアップ広告コンテンツの表示タイミングと、タイアップ広告コンテンツの告知タイミングとが、カラオケ装置２により決定されていた。タイアップ広告コンテンツの表示タイミングと、タイアップ広告コンテンツの告知タイミングとは、広告表示装置５により決定される構成であってもよい。第２の実施形態では、広告表示装置５において、タイアップ広告コンテンツの表示タイミングと、タイアップ広告コンテンツの告知タイミングとが決定される。第２の実施形態は、他の部分の構成及び処理について、第１の実施形態と同じであるので、相違する構成についてのみ詳述し、同じ構成についてその説明を省略する。
【０１２９】
［広告表示装置５の動作］
第２の実施形態の広告表示装置５の動作および作用について、図８を参照して説明する。図８は、広告表示装置５におけるメイン動作の処理手順を示すフローチャートである。第２の実施形態では、電源がオンされた広告表示装置５の制御部５２により、図８に示すステップＳ６０２〜ステップＳ６３８のメイン処理が実行される。
【０１３０】
ステップＳ６０２では、カラオケ装置２から予約リストが取得される。取得された予約リストは、再生情報記憶領域５３６に記憶される。ステップＳ６０４では、一般広告表示リストと、タイアップリストとの更新があるか否かが判断される。ステップＳ６０４では、センターサーバ４に、一般広告表示リストとタイアップリストとを問い合わせ、更新があるか否かが判断される。ステップＳ６０６では、センターサーバ４から、一般広告表示リストとタイアップリストとを取得する。取得した一般広告表示リストは、一般広告表示リスト記憶領域５３２に記憶され、タイアップリストは、タイアップリスト記憶領域５３４に記憶される。ステップＳ６０８では、ステップＳ６０６において取得した一般広告表示リストと、タイアップリストとに含まれる広告識別情報に対応する広告コンテンツのうち、記憶部５３に記憶されていない一般広告コンテンツと、タイアップ広告コンテンツとが、センターサーバ４から取得される。取得された一般広告コンテンツは、一般広告コンテンツ記憶領域５３１に記憶され、取得されたタイアップ広告コンテンツは、タイアップ広告コンテンツ記憶領域５３３に記憶される。
【０１３１】
ステップＳ６１０では、ステップＳ６０２において取得された予約リストの楽曲識別情報に対応するタイアップ広告コンテンツを示す広告識別情報が、タイアップリストに含まれるか否かが判断される。タイアップリストに、予約リストの楽曲識別情報と対応する広告識別情報のタイアップ広告コンテンツがあると判断されると（ステップＳ６１０：ＹＥＳ）、ステップＳ６１４の処理が実行される。タイアップリストに、予約リストの楽曲識別情報と対応する広告識別情報のタイアップ広告コンテンツがあると判断されないと（ステップＳ６１０：ＮＯ）、ステップＳ６１２の処理が実行される。
【０１３２】
ステップＳ６１２では、タイアップ広告コンテンツの表示タイミングについて、再チェックタイミングとなったか否かが判断される。再チェックタイミングとなったと判断されると（ステップＳ６１２：ＹＥＳ）、ステップＳ６１４の処理が実行される。再チェックタイミングとなったと判断されないと（ステップＳ６１２：ＮＯ）、ステップＳ６２０の処理が実行される。
【０１３３】
ステップＳ６１４では、現在の広告コンテンツの表示状況と、タイアップ広告コンテンツの再生予定とが取得される。ステップＳ６１６では、カラオケ装置２から楽曲の再生状況と予約リストに従った楽曲の再生予定とを取得する。ステップＳ６１８では、タイアップ広告コンテンツの表示タイミングと、タイアップ広告コンテンツの告知タイミングとの決定処理が実行される。決定処理は、図５に示す処理と同一である。また、決定処理において、表示タイミング決定処理が実行される。表示タイミング決定処理は、図６に示す処理と同一である。
【０１３４】
ステップＳ６２０では、タイアップ広告コンテンツの表示タイミングになったか否かが判断される。広告コンテンツの表示タイミングになったと判断されると（ステップＳ６２０：ＹＥＳ）、ステップＳ６２６の処理が実行される。広告コンテンツの表示タイミングになったと判断されないと（ステップＳ６２０：ＮＯ）、ステップＳ６２２の処理が実行される。
【０１３５】
ステップＳ６２２では、時間調整広告コンテンツの表示タイミングになったか否かが判断される。具体的には、時間調整広告コンテンツは、一般広告表示リストに従った一般広告コンテンツの再生予定と、タイアップ広告コンテンツの表示タイミングとから、表示タイミングとなったか否かが判断される。時間調整広告コンテンツの表示タイミングとなったと判断されると（ステップＳ６２２：ＹＥＳ）、ステップＳ６２４の処理が実行される。ステップＳ６２４では、時間調整広告コンテンツが再生される。ステップＳ６２４が実行されると、続いて、ステップＳ６２６の処理が実行される。
【０１３６】
ステップＳ６２６では、表示タイミングとなったと判断されたタイアップ広告コンテンツが再生される。
【０１３７】
時間調整広告コンテンツの表示タイミングとなったと判断されないと（ステップＳ６２２：ＮＯ）、ステップＳ６２８の処理が実行される。ステップＳ６２８では、一般広告表示リストに従って、一般広告コンテンツが１つ再生される。
【０１３８】
ステップＳ６３０では、ステップＳ６２６においてタイアップ広告コンテンツが再生されること、またはステップＳ６２８において一般広告コンテンツが再生されることにより、再生される広告コンテンツが切り替わったことがカラオケ装置２へ通知される。
【０１３９】
ステップＳ６３２では、カラオケ装置２により楽曲が再生されているときに、タイアップ広告コンテンツを再生させるか否かが判断される。楽曲の再生中に、タイアップ広告コンテンツを再生させると判断されたとき（ステップＳ６３２：ＹＥＳ）、ステップＳ６３４の処理が実行される。楽曲の再生中に、タイアップ広告コンテンツを再生させると判断されないとき（ステップＳ６３２：ＮＯ）、ステップＳ６３８の処理が実行される。
【０１４０】
ステップ６３４では、カラオケ装置２から、ステップＳ６３２において楽曲の再生中に再生させると判断されたタイアップ広告コンテンツを再生させるまでの待ち時間が取得される。ステップＳ６３６では、ステップＳ６３４において取得された待ち時間に従って、タイアップ広告コンテンツを再生させる表示タイミングが変更される。
【０１４１】
ステップＳ６３８では、電源をオフにする指示がされたか否かが判断される。電源をオフにする指示がされたと判断されると（ステップＳ６３８：ＹＥＳ）、広告表示装置５のメイン処理が終了される。電源をオフにする指示がされたと判断されないと（ステップＳ６３８：ＮＯ）、ステップＳ６０２の処理が実行される。
【０１４２】
[カラオケ装置２の動作]
図９は、カラオケ装置２におけるメイン動作の処理手順を示すフローチャートである。
第２の実施形態では、電源がオンされたカラオケ装置２の制御部２１により、図９に示すステップＳ７０２〜ステップＳ７３６のメイン処理が実行される。
【０１４３】
ステップＳ７０２では、リモコン１等からカラオケ装置２へ楽曲の再生を予約する要求がされたか否かが判断される。楽曲の再生を予約する要求がされたと判断されると（ステップＳ７０２：ＹＥＳ）、ステップＳ７０４の処理が実行される。楽曲の再生を予約する要求がされたと判断されないと（ステップＳ７０２：ＮＯ）、ステップＳ７０６の処理が実行される。
【０１４４】
ステップＳ７０４では、再生を予約する要求がされた楽曲の楽曲識別情報と、楽曲を予約したユーザＩＤとを、リモコン１等から取得し、再生情報記憶領域２３１に予約リストとして記憶する。
【０１４５】
ステップＳ７０６では、広告表示装置５から予約リストの取得要求がされたか否かが判断される。予約リストの取得要求がされたと判断されると（ステップＳ７０６：ＹＥＳ）、ステップＳ７０８の処理が実行される。予約リストの取得要求がされたと判断されないと（ステップＳ７０６：ＮＯ）、ステップＳ７１２の処理が実行される。
【０１４６】
ステップＳ７０８では、カラオケ装置２において再生中の楽曲の再生状況と、カラオケ楽曲の予約リストとが、広告表示装置５へ送信される。
【０１４７】
ステップＳ７１２では、楽曲の再生が予約され、予約リストに記憶された楽曲が再生タイミングになったか否かが判断される。楽曲が再生タイミングになったと判断されると（ステップＳ７１２：ＹＥＳ）、ステップＳ７１４の処理が実行される。楽曲が再生タイミングになったと判断されないと（ステップＳ７１２：ＮＯ）、ステップＳ７１６の処理が実行される。
【０１４８】
ステップＳ７１６では、タイアップ広告コンテンツの告知タイミングとなったか否かが判断される。告知タイミングとなったと判断されると（ステップＳ７１６：ＹＥＳ）、ステップＳ７１８の処理が実行される。告知タイミングとなったと判断されないと（ステップＳ７１６：ＮＯ）、ステップＳ７２０の処理が実行される。
【０１４９】
ステップＳ７２０では、タイアップ広告コンテンツの表示タイミングが、広告表示装置５から通知されたか否かが判断される。タイアップ広告コンテンツの表示タイミングは、広告表示装置５が実行するステップＳ６１８の決定処理、すなわち図５に示す決定処理中のステップＳ２１８０において広告表示装置５からカラオケ装置２に通知される。表示タイミングが通知されたと判断されると（ステップＳ７２０：ＹＥＳ）、ステップＳ７２２の処理が実行される。表示タイミングが通知されたと判断されないと（ステップＳ７２０：ＮＯ）、ステップＳ７２８の処理が実行される。ステップＳ７２２では、ステップＳ７２０において通知されたと判断された表示タイミングが、再生情報記憶領域２３４のタイアップリストに含まれる広告コンテンツ識別情報に対応付けて記憶される。
【０１５０】
ステップＳ７２４では、広告表示装置５が実行するステップＳ６１８の決定処理、すなわち図５に示す決定処理中のステップＳ２１３８において決定された表示順序に従って、タイアップ広告コンテンツに対応する楽曲が再生されるより前に、タイアップ広告コンテンツを再生可能であるか否かが判断される。タイアップ広告コンテンツを再生可能であると判断されたとき(ステップＳ７２４：ＹＥＳ)、ステップＳ７２６の処理が実行される。タイアップ広告コンテンツを再生可能であると判断されないとき(ステップＳ７２４：ＮＯ)、ステップＳ７３６の処理が実行される。
【０１５１】
ステップＳ７２６では、タイアップ広告コンテンツの再生を事前に告知する告知メッセージを、広告表示装置５が実行するステップＳ６１８の決定処理、すなわち図５に示す決定処理中のステップＳ２１３８において決定された表示順序、およびステップＳ２１８０において通知された告知タイミングに従ってディスプレイ３５に表示する。
【０１５２】
ステップＳ７２８では、タイアップ広告コンテンツが再生されるまでの待ち時間が、広告表示装置５から要求されたか否かが判断される。広告表示装置５から、タイアップ広告コンテンツの再生待ち時間が要求されたと判断されると（ステップＳ７２８：ＹＥＳ）、ステップＳ７３０の処理が実行される。広告表示装置５から、タイアップ広告コンテンツの再生待ち時間が要求されたと判断されないと（ステップＳ７２８：ＮＯ）、ステップＳ７３２の処理が実行される。ステップ７３０では、タイアップ広告コンテンツが再生されるまでの待ち時間が、広告表示装置５へ送信される。
【０１５３】
ステップＳ７３２では、一般広告表示リストに従って広告表示装置５において再生される一般広告コンテンツが、新たな広告コンテンツに切り替えられることを示す切り替わり通知を、広告表示装置５から受信したか否かが判断される。切り替わり通知を受信したと判断されると（ステップＳ７３２：ＹＥＳ）、ステップＳ７３４の処理が実行される。切り替わり通知を受信したと判断されないと（ステップＳ７３２：ＮＯ）、ステップＳ７３６の処理が実行される。
【０１５４】
ステップＳ７３４では、タイアップ広告コンテンツの告知メッセージの告知タイミングと、告知内容とを、切り替わり通知を受信したタイミングに応じて更新する。
【０１５５】
ステップＳ７３６では、電源をオフにする指示がされたか否かが判断される。電源をオフにする指示がされたと判断されると（ステップＳ７３６：ＹＥＳ）、カラオケ装置２のメイン処理が終了される。電源をオフにする指示がされたと判断されないと（ステップＳ７３６：ＮＯ）、ステップＳ７０２の処理が実行される。
【０１５６】
（本発明と実施形態との対応）
本実施形態において、カラオケシステムＳが、本発明の広告再生システムの一例である。本実施形態において、第１の実施形態のカラオケ装置２、または第２の実施形態の広告表示装置５が、本発明の広告再生装置の一例である。
【０１５７】
本実施形態のカラオケ装置２のタイアップリスト記憶領域２３４および一般広告表示リスト記憶領域２３６、または広告表示装置５の一般広告表示リスト記憶領域５３２およびタイアップリスト記憶領域５３４が、本発明の記憶部の一例である。本実施形態のタイアップリストが、本発明のタイアップ広告情報の一例であり、本実施形態の一般広告表示リストが、本発明の一般広告情報の一例である。本実施形態の楽曲の再生が開始される時間と、楽曲の非歌唱時間とが、本発明のタイアップ広告の再生タイミングの一例である。本実施形態の映像制御部５８およびディスプレイ５４が、本発明の広告再生部の一例である。本実施形態の映像再生部３２、映像制御部３３、およびディスプレイ３５が、本発明の告知部の一例である。
【０１５８】
本実施形態のカラオケ装置２の制御部２１、およびステップＳ２１０の処理は、本発明の取得部の一例である。第１の実施形態のカラオケ装置２の制御部２１、及びステップＳ２０４の処理、または、第２の実施形態のステップＳ７０４の処理が、本発明の楽曲決定部の一例である。楽曲決定部の一例である。第１の実施形態のカラオケ装置２の制御部２１、およびステップＳ２０４の処理、または、第２の実施形態のカラオケ装置２の制御部２１、およびステップＳ７０４の処理が、本発明の予約取得部の一例である。第１の実施形態のカラオケ装置２の制御部２１、およびステップＳ２１４の処理、または、第２の実施形態のカラオケ装置２の制御部２１、およびステップＳ７２４の処理が、本発明の判断部の一例である。第１の実施形態のカラオケ装置２の制御部２１、およびステップＳ２１２の処理、または、第２の実施形態の広告表示装置５の制御部５２、およびステップＳ６１８の処理が、本発明の広告決定部の一例である。第１の実施形態のカラオケ装置２の制御部２１、およびステップＳ２１８０、ステップＳ２１６、および広告表示装置５の制御部５２およびＳ１２２，Ｓ１３６の処理、または、第２の実施形態の広告表示装置５の制御部５２、およびステップＳ２１８０、Ｓ６２６、Ｓ６２８の処理が、本発明の通知制御部、および制御部の一例である。
【符号の説明】
【０１５９】
Ｓ  カラオケシステム
２  カラオケ装置
２１  制御部
２３  記憶部
２３１  再生情報記憶領域
２３４  タイアップリスト記憶領域
４  センターサーバ
４１  制御部
４３  広告記憶部
４３１  一般広告コンテンツ記憶領域
４３２  一般広告表示リスト記憶領域
４３３  タイアップ広告コンテンツ記憶領域
４３４  タイアップリスト記憶領域
５  広告表示装置
５２  制御部
５３  記憶部
５３１  一般広告コンテンツ記憶領域
５３２  一般広告表示リスト記憶領域
５３３  タイアップ広告コンテンツ記憶領域
５３４  タイアップリスト記憶領域
５３５  時間調整広告コンテンツ記憶領域
５３６  再生情報記憶領域 
【図１】
2014197046.tif 000003
【図２】
2014197046.tif 000004
【図３（ａ）】
2014197046.tif 000005
【図３（ｂ）】
2014197046.tif 000006
【図３（ｃ）】
2014197046.tif 000007
【図３（ｄ１）】
2014197046.tif 000008
【図３（ｄ２）】
2014197046.tif 000009
【図３（ｄ３）】
2014197046.tif 000010
【図３（ｅ１）】
2014197046.tif 000011
【図３（ｅ２）】
2014197046.tif 000012
【図３（ｆ１）】
2014197046.tif 000013
【図３（ｆ２）】
2014197046.tif 000014
【図４】
2014197046.tif 000015
【図５】
2014197046.tif 000016
【図６】
2014197046.tif 000017
【図７】
2014197046.tif 000018
【図８】
2014197046.tif 000019
【図９】
2014197046.tif 000020